(57)【要約】【課題】換気システムの省エネルギー運転を可能とする換気制御装置及びその換気制御装置を備えた換気システムを提供すること。【解決手段】換気制御装置２は、排気風量配分部１８と排気風量指示部１９とを備える。排気風量配分部１８は、総排気風量読出部１６により読み出された総排気風量を、排気装置仕様読出部１７により読み出された各排気装置３の最大排気風量に応じて配分することで、各々の排気装置３の排気風量を設定する。排気風量指示部１９は、排気装置３の各々に対して、その排気装置３について排気風量配分部１８により設定された排気風量を指示する。【選択図】図２
2019168187.tif 000002
【特許請求の範囲】
【請求項１】
建物に設置されて該建物の内側から外側へ空気を搬送可能な複数の排気装置と通信可能に接続され、該複数の排気装置の動作を制御する換気制御装置であって、
前記建物に対して設定される総排気風量を読み出す総排気風量読出部と、
前記排気装置の仕様として各排気装置の最大排気風量を読み出す排気装置仕様読出部と、
前記総排気風量読出部により読み出された前記総排気風量を前記排気装置仕様読出部により読み出された前記各排気装置の最大排気風量に応じて配分することで、各々の前記排気装置の排気風量を設定する排気風量配分部と、
前記排気装置の各々に対して、その排気装置について前記排気風量配分部により設定された前記排気風量を指示する排気風量指示部と、を備える換気制御装置。
【請求項２】
前記換気制御装置は、
前記建物に設置された該建物の外側から内側へ空気を搬送可能な複数の給気装置と通信可能に接続され、該複数の給気装置の動作を制御するものであり、
各々の前記排気装置より実際の排気風量である実排気風量を取得する実排気風量取得部と、
前記実排気風量取得部により取得された各々の前記排気装置の前記実排気風量の合計を、前記建物へ給気すべき総給気風量として設定する総給気風量設定部と、
前記給気装置の仕様として各給気装置の最大給気風量を読み出す給気装置仕様読出部と、
前記総給気風量設定部により設定された前記総給気風量を前記給気装置仕様読出部により読み出された前記各給気装置の最大給気風量に応じて配分することで、各々の前記給気装置の給気風量を設定する給気風量配分部と、
前記給気装置の各々に対して、その給気装置について前記給気風量配分部により設定された前記給気風量を指示する給気風量指示部と、を備える請求項１記載の換気制御装置。
【請求項３】
前記複数の排気装置を複数のグループに分割するグループ化部を備え、
前記排気風量配分部は、
前記グループ化部により分割されたグループ毎の、そのグループに含まれる排気装置の前記最大排気風量の合計に応じて、前記総排気風量読出部により読み出された前記総排気風量を配分することで、各々の前記グループの排気風量を設定するグループ排気風量配分部と、
前記グループ毎に、前記グループ排気風量配分部により設定された当該グループの排気風量を、そのグループに含まれる前記各排気装置の最大排気風量に応じて配分することで、そのグループに含まれる各々の前記排気装置の排気風量を設定する個別排気風量配分部と、を備える請求項１記載の換気制御装置。
【請求項４】
前記複数の排気装置と前記複数の給気装置とを複数のグループに分割するグループ化部を備え、
前記排気風量配分部は、
前記グループ化部により分割されたグループ毎の、そのグループに含まれる排気装置の前記最大排気風量の合計に応じて、前記総排気風量読出部により読み出された前記総排気風量を配分することで、各々の前記グループの排気風量を設定するグループ排気風量配分部と、
前記グループ毎に、前記グループ排気風量配分部により設定された当該グループの排気風量を、そのグループに含まれる前記各排気装置の最大排気風量に応じて配分することで、そのグループに含まれる各々の前記排気装置の排気風量を設定する個別排気風量配分部と、を備え、
前記総給気風量設定部は、
前記グループ化部により分割されたグループ毎に、そのグループに含まれる排気装置の前記実排気風量の合計に応じて、そのグループにおける総給気風量を設定し、
前記給気風量配分部は、
前記グループ毎に、前記総給気風量設定部により設定された当該グループの総給気風量を、そのグループに含まれる前記各給気装置の最大給気風量に応じて配分することで、そのグループに含まれる各々の前記給気装置の給気風量を設定する請求項２記載の換気制御装置。
【請求項５】
各々の前記排気装置とその排気装置が含まれるグループとの対応関係を示す情報を記憶するグループ情報記憶部と、
一の排気装置が含まれるグループの変更を受け付け、その変更内容に従って前記グループ情報記憶部に記憶される前記情報を変更する情報変更部と、を備える請求項３記載の換気制御装置。
【請求項６】
各々の前記排気装置及び前記給気装置とその排気装置又は給気装置が含まれるグループとの対応関係を示す情報を記憶するグループ情報記憶部と、
一の排気装置又は給気装置が含まれるグループの変更を受け付け、その変更内容に従って前記グループ情報記憶部に記憶される前記情報を変更する情報変更部と、を備える請求項４記載の換気制御装置。
【請求項７】
前記排気風量配分部は、
一の排気装置に対して配分により設定した前記排気風量が当該排気装置の前記最大排気風量を超える場合に、前記最大排気風量を前記排気装置の排気風量として設定する請求項１から６のいずれかに記載の換気制御装置。
【請求項８】
前記排気装置仕様読出部は、
前記排気装置の仕様として各排気装置の最小排気風量を読み出し、
前記排気風量配分部は、
一の排気装置に対して配分により設定した前記排気風量が当該排気装置の前記最小排気風量未満である場合に、前記最小排気風量を前記排気装置の排気風量として設定する請求項１から７のいずれかに記載の換気制御装置。
【請求項９】
前記給気風量配分部は、
一の給気装置に対して配分により設定した前記給気風量が当該給気装置の前記最大給気風量を超える場合に、前記最大給気風量を前記給気装置の給気風量として設定する請求項２、４、６のいずれかに記載の換気制御装置。
【請求項１０】
前記給気装置仕様読出部は、
前記給気装置の仕様として各給気装置の最小給気風量を読み出し、
前記給気風量配分部は、
一の給気装置に対して配分により設定した前記給気風量が当該給気装置の前記最小給気風量未満である場合に、前記最小給気風量を前記給気装置の給気風量として設定する請求項２、４、６、９のいずれかに記載の換気制御装置。
【請求項１１】
各々の前記排気装置に対し前記排気風量配分部により配分された前記排気風量の総和が前記総排気風量読出部により読み出された前記総排気風量を下回る場合に、その旨を報知するための処理を実行する報知処理部を備える請求項１から１０のいずれかに記載の換気制御装置。
【請求項１２】
各々の前記排気装置に対し前記排気風量配分部により配分された前記排気風量の総和が前記総排気風量読出部により読み出された前記総排気風量を上回る場合に、その旨を報知するための処理を実行する報知処理部を備える請求項１から１１のいずれかに記載の換気制御装置。
【請求項１３】
各々の前記排気装置より実際の排気風量である実排気風量を取得する実排気風量取得部と、
前記実排気風量取得部により取得された各々の前記排気装置における前記実排気風量を積算した積算風量を算出する実排気風量積算部と、
前記実排気風量積算部により算出された前記積算風量と所定時間当たりに必要な排気風量とに応じて各々の前記排気装置の排気風量を調整する能力調整部と、を備える請求項１から１２のいずれかに記載の換気制御装置。
【請求項１４】
前記能力調整部は、
前記実排気風量積算部により算出された前記積算風量が所定時間当たりに必要な排気風量に達する場合に、各々の排気装置に対して運転の停止指示を行う請求項１３記載の換気制御装置。
【請求項１５】
建物に設置されて該建物の外側から内側へ空気を搬送可能な複数の給気装置と通信可能に接続され、該複数の給気装置の動作を制御する換気制御装置であって、
前記建物に対して設定される総給気風量を読み出す総給気風量読出部と、
前記給気装置の仕様として各給気装置の最大給気風量を読み出す給気装置仕様読出部と、
前記総給気風量読出部により読み出された前記総給気風量を前記給気装置仕様読出部により読み出された前記各給気装置の最大給気風量に応じて配分することで、各々の前記給気装置の給気風量を設定する給気風量配分部と、
前記給気装置の各々に対して、その給気装置について前記給気風量配分部により設定された前記給気風量を指示する給気風量指示部と、を備える換気制御装置。
【請求項１６】
建物に設置されて該建物の内側から外側へ空気を搬送可能な複数の排気装置と、
前記建物に設置されて該建物の外側から内側へ空気を搬送可能な複数の給気装置と、
前記複数の排気装置と前記複数の給気装置と通信可能に接続される請求項１から１５のいずれかに記載の換気制御装置と、を備える換気システム。
【発明の詳細な説明】
【技術分野】
【０００１】
本発明は、換気制御装置及び換気システムに関する。
【背景技術】
【０００２】
住宅等の建物に対して構築され、建物の内側から外側へ空気を搬送可能な排気装置と建物の外側から内側へ空気を搬送可能な給気装置とを各々複数有し、２４時間換気を実施する換気システムが知られている（例えば、特許文献１参照）。
【０００３】
このような換気システムの中には、その換気システムが構築された建物に対して必要となる換気風量で換気が行われるように、各々の排気装置及び給気装置に対して個別に排気風量又は給気風量を設定できるようにしたものがある。従来のこの種の換気システムでは、建物の建築・建設業者等が排気装置及び給気装置毎に割り当てるべき排気風量又は給気風量を判断し、各々の排気装置及び給気装置に対して個別に排気風量又は給気風量を設定していた。
【先行技術文献】
【特許文献】
【０００４】
【特許文献１】特開２０１６−８７９４号公報
【発明の概要】
【発明が解決しようとする課題】
【０００５】
しかしながら、従来の換気システムにおける各排気装置及び給気装置への排気風量又は給気風量の設定方法では、必ずしも各排気装置及び給気装置の能力に応じてバランスよく排気風量又は給気風量が設定されないおそれがあった。即ち、従来の換気システムでは、一部の排気装置又は給気装置に偏って大きな排気風量又は給気風量が設定されることとなり、結果として無駄なエネルギーを消費するおそれがあった。
【０００６】
本発明は、上記課題を解決するためになされたものであり、換気システムの省エネルギー運転を可能とする換気制御装置及びその換気制御装置を備えた換気システムを提供することを目的とする。
【課題を解決するための手段】
【０００７】
この目的を達成するために、本発明の換気制御装置は、建物に設置されて該建物の内側から外側へ空気を搬送可能な複数の排気装置と通信可能に接続され、該複数の排気装置の動作を制御するものであって、前記建物に対して設定される総排気風量を読み出す総排気風量読出部と、前記排気装置の仕様として各排気装置の最大排気風量を読み出す排気装置仕様読出部と、前記総排気風量読出部により読み出された前記排気風量を前記排気装置仕様読出部により読み出された前記各排気装置の最大排気風量に応じて配分することで、各々の前記排気装置の排気風量を設定する排気風量配分部と、前記排気装置の各々に対して、その排気装置について前記排気風量配分部により設定された前記排気風量を指示する排気風量指示部と、を備えるものである。
【０００８】
また、本発明の換気システムは、建物に設置されて該建物の内側から外側へ空気を搬送可能な複数の排気装置と、前記建物に設置されて該建物の外側から内側へ空気を搬送可能な複数の給気装置と、前記複数の排気装置と前記複数の給気装置と通信可能に接続される前記換気制御装置と、を備えるものである。
【発明の効果】
【０００９】
本発明の換気制御装置及び換気システムによれば、建物に対して設定される総排気風量を各排気装置の最大排気風量に応じて配分されて、各々の排気装置の排気風量が設定されるので、各排気装置の能力に応じてバランスよく排気風量が設定される。よって、換気システムの省エネルギー運転を可能にできるという効果がある。
【図面の簡単な説明】
【００１０】
【図１】本発明の第１実施形態に係る換気システムの接続概略図である。
【図２】本発明の第１実施形態に係る換気制御装置の概略機能ブロック図である。
【図３】同換気制御装置の電気ブロック図である。
【図４】同換気制御装置にて実行される排気風量配分処理を示すフローチャートである。
【図５】同換気制御装置にて実行される排気風量算出設定処理を示すフローチャートである。
【図６】同換気制御装置にて実行される実排気風量積算処理を示すフローチャートである。
【図７】同換気制御装置にて実行される給気風量配分処理を示すフローチャートである。
【図８】同換気制御装置にて実行される給気風量算出設定処理を示すフローチャートである。
【図９】本発明の第２実施形態に係る換気システムの接続概略図である。
【図１０】本発明の第２実施形態に係る換気制御装置の概略機能ブロック図である。
【図１１】同換気システムの接続概略図である。
【図１２】同換気制御装置にて実行される排気風量配分処理を示すフローチャートである。
【図１３】同換気制御装置にて実行されるグループ配分排気風量算出設定処理を示すフローチャートである。
【図１４】同換気制御装置にて実行されるグループ内排気風量算出設定処理を示すフローチャートである。
【図１５】同換気制御装置にて実行される給気風量配分処理を示すフローチャートである。
【図１６】同換気制御装置にて実行されるグループ内給気風量算出設定処理を示すフローチャートである。
【図１７】本発明の第３実施形態に係る換気制御装置にて実行される給気風量配分処理を示すフローチャートである。
【図１８】同換気制御装置にて実行されるグループ配分給気風量算出設定処理を示すフローチャートである。
【発明を実施するための形態】
【００１１】
以下、本発明を実施するための形態について添付図面を参照して説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１２】
（第１実施形態）
まず、図１を参照して、本発明の第１実施形態に係る換気制御装置２及び換気システム４０について説明する。図１は、本第１実施形態に係る換気システム４０の接続概略図である。
【００１３】
換気システム４０は、換気制御装置２と、複数の排気装置３と、複数の給気装置４と、入出力端末５とを備えて構成される。
【００１４】
換気制御装置２は、建物の一例である一般住宅１内に設置され、各排気装置３及び給気装置４と無線通信により通信可能に接続されることにより、各々の排気装置３及び給気装置４の動作を制御する。換気制御装置２と各排気装置３及び給気装置４とが無線で接続されることにより、複雑な配線工事を不要とすることができる。ただし、換気制御装置２と各排気装置３及び給気装置４とを有線通信により通信可能に構成してもよい。
【００１５】
特に、換気制御装置２は、一般住宅１において必要な総排気風量を各排気装置３の最大排気風量に応じて配分して、各々の排気装置３の排気風量を設定し、各排気装置３に対して設定された排気風量を指示する。
【００１６】
また、換気制御装置２は、各々の排気装置３から実際の排気風量である実排気風量を取得し、これらの実排気量の合計を一般住宅１へ給気すべき総給気風量として設定する。そして、換気制御装置２は、その設定された総給気風量を各給気装置４の最大給気風量に応じて配分して、各々の給気装置４の給気風量を設定し、各給気装置４に対して設定された給気風量を指示する。これにより、各排気装置３及び給気装置４の能力に応じてバランスよく排気風量又は給気風量が設定されるので、換気システム４０の省エネルギー運転を可能にしている。
【００１７】
排気装置３は、一般住宅１に設置されて一般住宅１の内側から外側へ空気を搬送可能とするものであり、天埋換気扇、壁掛換気扇、レンジフード、熱交換気扇等が該当する。図１には、排気装置３として、４つの天埋換気扇を例示する。
【００１８】
給気装置４は、一般住宅１に設置されて一般住宅１の外側から内側へ空気を搬送可能とするものであり、熱交換気扇の給気機能や給気ファン等が該当する。図１には、給気装置４として２つの給気ファンを例示する。
【００１９】
入出力端末５は、換気制御装置２と無線通信により通信可能に接続され、換気システム４０を構築するうえで必要な情報の入力を受け付けて換気制御装置２に記憶させたり、換気システム４０の状態を換気制御装置２から取得して表示したりするものである。入出力端末５は、携帯電話、スマートフォン、タブレットといった携帯情報端末が例として挙げられる。
【００２０】
なお、入出力端末５は、必ずしも無線通信により換気制御装置２と接続される必要はなく、有線通信により通信可能に換気制御装置２と接続されてもよい。この場合、入出力端末５は、例えば、壁掛のリモートコントローラにより実現されるものであってもよい。
【００２１】
次いで、図２及び図３を参照して、換気制御装置２の各機能について説明する。図２は、換気制御装置２の概略機能ブロック図である。図３は、換気制御装置２の電気ブロック図である。
【００２２】
図２に示す通り、換気制御装置２は、記憶部１１と、制御部１５と、通信部２７とを有する。
【００２３】
通信部２７は、入出力端末５と無線通信により通信可能に接続される入出力端末送受信部２８と、各排気装置３及び給気装置４と無線通信により通信可能に接続される排気・給気装置送受信部２９とを備えている。
【００２４】
入出力端末送受信部２８は、入出力端末５にて入力された、換気システム４０を構築するうえで必要な情報を受信し、換気システム４０の状態を入出力端末５へ送信する。なお、入出力端末送受信部２８は、インターネット等にブロードバンド接続するものであってもよく、インターネット経由で入出力端末５と通信可能に接続されてもよい。
【００２５】
排気・給気装置送受信部２９は、各排気装置３及び給気装置４に対し、換気制御装置２にて配分により設定した各々の排気風量又は給気風量を送信する。また、排気・給気装置送受信部２９は、各排気装置３及び給気装置４より、各々の仕様に関する情報や、実際の運転における実排気風量又は実給気風量等を含む運転状態に関する情報を受信する。
【００２６】
記憶部１１は、換気システム４０を構築するうえで必要な情報を記憶するものであり、総排気風量記憶部１２、排気装置仕様記憶部１３、給気装置仕様記憶部１４を少なくとも備えている。
【００２７】
総排気風量記憶部１２は、一般住宅１を換気するために必要となる総排気風量を記憶するものである。総排気風量は、入出力端末５によりユーザによって入力され、入出力端末送受信部２８を経由して入手されて総排気風量記憶部１２に記憶される。
【００２８】
この総排気風量は、当然ながら各建物の広さや部屋の数、住宅の気密性、断熱性能等に応じて異なるため、建物毎に異なる値が設定されることになる。総排気風量は、所定時間以内に所定の建物内から排気すべき排気量の総量であり、所定時間とは例えば１時間であったり、３時間であったり、１日（２４時間）であったりと、環境や取り決め等により異なる。よって、本第１実施形態では、所定時間を、換気システムが構築される建物の環境基準や換気基準等の法令、又は、建物固有の環境条件によってユーザが任意に設定できる時間として、一例としてこれを１時間とする。
【００２９】
排気装置仕様記憶部１３は、換気制御装置２に接続される複数の排気装置３について、各々の排気装置３の仕様に関する情報を記憶する。各排気装置３には、その排気装置３を識別するための識別情報（例えば、製造番号、ＭＡＣアドレス等）が記憶されるＩＤ記憶部３ａと、その排気装置３の仕様に関する情報が記憶される仕様記憶部３ｂとが設けられている。
【００３０】
排気装置３の仕様に関する情報としては、その排気装置３における、単位時間当たりの最大排気風量と、単位時間当たりの最小排気風量と、出力可能な排気風量とが少なくとも含まれる。例えば、一の排気装置３において、排気風量を３０ＣＦＭ／４０ＣＦＭ／５０ＣＦＭ／６０ＣＦＭ／７０ＣＦＭ／８０ＣＦＭの６段階に切り替え設定可能な場合、最大排気風量として８０ＣＦＭ、最小排気風量として３０ＣＦＭ、出力可能な排気風量として３０ＣＦＭ／４０ＣＦＭ／５０ＣＦＭ／６０ＣＦＭ／７０ＣＦＭ／８０ＣＦＭを示す情報が、仕様記憶部３ｂに記憶される。
【００３１】
換気制御装置２は、各々の排気装置３から、その排気装置３の識別情報と、仕様に関する情報とを排気・給気装置送受信部２９を経由して受信すると、識別情報と仕様に関する情報とを対応付けて、排気装置仕様記憶部１３に記憶する。なお、各排気装置３の仕様に関する情報は、入出力端末５からユーザによって入力されてもよく、入出力端末送受信部２８を経由して受信した排気装置３の仕様に関する情報が、排気装置仕様記憶部１３に記憶されるようにしてもよい。
【００３２】
給気装置仕様記憶部１４は、換気制御装置２に接続される複数の給気装置４について、各々の給気装置４の仕様に関する情報を記憶する。各給気装置４には、その給気装置４を識別するための識別情報（例えば、製造番号、ＭＡＣアドレス等）が記憶されるＩＤ記憶部４ａと、その給気装置４の仕様に関する情報が記憶される仕様記憶部４ｂとが設けられている。
【００３３】
給気装置４の仕様に関する情報としては、その給気装置４における、単位時間当たりの最大給気風量と、単位時間当たりの最小給気風量と、出力可能な給気風量とが少なくとも含まれる。例えば、一の給気装置４において、給気風量を３０ＣＦＭ／４０ＣＦＭ／５０ＣＦＭの３段階に切り替え設定可能な場合、最大給気風量として５０ＣＦＭ、最小給気風量として３０ＣＦＭ、出力可能な給気風量として３０ＣＦＭ／４０ＣＦＭ／５０ＣＦＭを示す情報が、仕様記憶部４ｂに記憶される。
【００３４】
換気制御装置２は、各々の給気装置４から、その給気装置４の識別情報と、仕様に関する情報とを排気・給気装置送受信部２９を経由して受信すると、識別情報と仕様に関する情報とを対応付けて、給気装置仕様記憶部１４に記憶する。なお、各給気装置４の仕様に関する情報は、入出力端末５からユーザによって入力されてもよく、入出力端末送受信部２８を経由して受信した給気装置４の仕様に関する情報が、給気装置仕様記憶部１４に記憶されるようにしてもよい。
【００３５】
制御部１５は、換気制御装置２に接続された複数の排気装置３と複数の給気装置４との動作を制御するものである。制御部１５は、総排気風量読出部１６、排気装置仕様読出部１７、排気風量配分部１８、排気風量指示部１９、報知処理部２０、能力調整部２１、給気装置仕様読出部２２、給気風量配分部２３、総給気風量設定部２４、実排気風量取得部２５、給気風量指示部２６、実給気風量取得部３０を少なくとも有している。
【００３６】
総排気風量読出部１６は、総排気風量記憶部１２に記憶された総排気風量を読み出す。読み出された総排気風量は、排気風量配分部１８及び能力調整部２１にて使用される。
【００３７】
排気装置仕様読出部１７は、換気制御装置２に接続された各排気装置３の仕様として、各々の排気装置３の最大排気風量、最小排気風量、出力可能な排気風量の情報を、排気装置仕様記憶部１３より読み出す。読み出されたこれらの情報は、排気風量配分部１８及び能力調整部２１にて使用される。
【００３８】
排気風量配分部１８は、総排気風量読出部１６により読み出された総排気風量を排気装置仕様読出部１７により読み出された各排気装置３の最大排気風量に応じて配分することで、各々の排気装置３の排気風量を設定する。この配分方法の詳細ついては、図５に示すフローチャートを参照して後述する。
【００３９】
排気風量指示部１９は、各排気装置３について排気風量配分部１８により設定された排気風量を、排気・給気装置送受信部２９を経由して対応する排気装置３に対して指示する。各排気装置３は、設定風量記憶部３ｃを有しており、排気風量指示部１９から指示された排気風量を記憶する。各排気装置３は、通常時は設定風量記憶部３ｃに記憶された排気風量で排気運転を行い、排気装置３が設置された空間の状態（湿度変化、人の有無、臭気の有無等）に応じて排気風量を変化させる。
【００４０】
報知処理部２０は、各排気装置３及び給気装置４に対する設定状況や運転状況等を入出力端末５に表示させるための処理を実行する。具体的には、報知処理部２０は、排気風量配分部１８により設定された各排気装置３の排気風量や、後述の給気風量配分部２３により設定された各給気装置４の給気風量を入出力端末５に表示させる。また、報知処理部２０は、後述の実排気風量取得部２５により取得された各々の排気装置３における実際の排気風量である実排気風量と、後述の実給気風量取得部３０により取得された各々の給気装置４における実際の給気風量である実給気風量とを、各排気装置３及び給気装置４の運転状況として入出力端末５に表示させる。
【００４１】
また、報知処理部２０は、各々の排気装置３に対し排気風量配分部１８により配分された排気風量の総和が総排気風量読出部１６により読み出された総排気風量を下回る場合、即ち、排気装置３の排気能力では所望の排気ができない可能性がある場合に、その旨を報知するための処理を実行する。
【００４２】
また、報知処理部２０は、各々の排気装置３に対し排気風量配分部１８により配分された排気風量の総和が総排気風量読出部１６により読み出された総排気風量を上回る場合、即ち、排気装置３の排気能力では所望以上の排気が行われる可能性がある場合に、その旨を報知するための処理を実行する。
【００４３】
更に、報知処理部２０は、各々の給気装置４に対し給気風量配分部２３により配分された給気風量の総和が後述の総給気風量設定部２４により設定された総給気風量を下回る場合、即ち、給気装置４の給気能力では所望の給気ができない可能性がある場合に、その旨を報知するための処理を実行する。
【００４４】
また、報知処理部２０は、各々の給気装置４に対し給気風量配分部２３により配分された給気風量の総和が後述の総給気風量設定部２４により設定された総給気風量を上回る場合、即ち、給気装置４の給気能力では所望以上の給気が行われる可能性がある場合に、その旨を報知するための処理を実行する。
【００４５】
これらの報知のための具体的な処理としては、例えば、入出力端末５に対し、入出力端末送受信部２８を経由して警告情報を送信する。入出力端末５は、この警告情報に基づいて、警告音を発したり、警告画面を表示させたりすることで、ユーザに、排気装置３の排気能力では所望の排気ができない若しくは所望以上の排気が行われる旨、又は、給気装置４の給気能力では所望の給気ができない若しくは所望以上の給気が行われる旨を伝えることができる。また、換気制御装置２に警告用ランプを設け、前記処理として、その警告用ランプを点灯させることで、これらの報知を行ってもよい。
【００４６】
なお、換気制御装置２は、前記報知の有効又は無効を設定する情報が、記憶部１１に記憶可能に構成されてもよい。これにより、前記報知の有効を設定する情報が記憶部１１に記憶可能に構成されている場合に、換気制御装置２は、入出力端末５に対して警告情報を送信したり、換気制御装置２に設けた警告用ランプを点灯させたりすることができる。一方、前記報知の無効を設定する情報が記憶部１１に記憶可能に構成されている場合に、換気制御装置２は、入出力端末５に対する警告情報の送信を行わず、また、換気制御装置２に設けた警告用ランプを非点灯とすることができる。よって、換気制御装置２の仕様として前記報知が不要な場合は、この報知が行われないようにすることができる。この有効／無効の設定は、入出力端末５から行えるようにしてもよいし、換気制御装置２に設けられた操作スイッチ（図示せず）により行えるようにしてもよい。
【００４７】
また、入出力端末５が、換気制御装置２から送信された警告情報を有効又は無効にユーザにより設定できるように構成されてもよい。これにより、入出力端末５において、換気制御装置２から送信された警告情報が有効に設定された場合は、その警告情報に基づいて、警告音を発したり、警告画面を表示したりできる。一方、入出力端末５において、換気制御装置２から送信された警告情報が無効に設定された場合は、その警告情報に基づく警告音の発音や、警告画面の表示を非実行とすることができる。
【００４８】
能力調整部２１は、後述の実排気風量取得部２５にて取得された各々の排気装置３における実際の排気風量を積算した積算風量を算出し、その積算風量と、総排気風量読出部１６により認識された一般住宅１において所定時間当たりに必要な総排気風量とに応じて、各々の前記排気装置の排気風量を調整する。
【００４９】
具体的には、積算風量が総排気風量に達すると判断される場合は、これ以上の排気動作が不要であるため、能力調整部２１は各々の排気装置３に対して運転の停止指示を行う。一方、積算風量から所定時間で総排気風量を達成できない見込みであると判断される場合は、能力調整部２１は、所定時間で総排気風量での排気を完了させるべく、各排気装置３に対して最大排気風量での運転を指示する。
【００５０】
なお、能力調整部２１は、現在の積算風量から所定時間で達成見込みの積算風量を算出し、総排気風量に対する過不足を算出して、その過不足の大きさに応じて、各々の排気装置３の排気風量を調整するようにしてもよい。
【００５１】
給気装置仕様読出部２２は、換気制御装置２に接続された各給気装置４の仕様として、各々の給気装置４の最大給気風量、最小給気風量、出力可能な給気風量の情報を、給気装置仕様記憶部１４より読み出す。読み出されたこれらの情報は、給気風量配分部２３にて使用される。
【００５２】
実排気風量取得部２５は、各々の排気装置３より実際の排気風量である実排気風量を取得する。各排気装置３は、実風量記憶部３ｄを有しており、実際の運転による排気風量が実風量記憶部３ｄに記憶される。実排気風量取得部２５は、排気・給気装置送受信部２９を経由して、各排気装置３から実風量記憶部３ｄに記憶される実排気風量を取得する。取得された実排気風量は、報知処理部２０、能力調整部２１及び総給気風量設定部２４により使用される。
【００５３】
総給気風量設定部２４は、実排気風量取得部２５により取得された各々の排気装置３の実排気風量の合計を、一般住宅１へ給気すべき総給気風量として設定する。このように、総排気風量記憶部１２に記憶・設定された総排気風量を総給気風量とするのではなく、実排気風量の合計を総給気風量として設定するので、実際の換気運転に合わせて、排気と給気とのバランスをとることができる。
【００５４】
なお、総給気風量設定部２４は、実排気風量取得部２５により取得された各々の排気装置３の実排気風量の合計に対して、一定の割合又は風量を加算した値を一般住宅１へ給気すべき総給気風量として設定してもよい。これにより、換気システム４０において、実排気風量に対して一定の割合又は風量を加算した給気運転を行う過給機能を実現できる。
【００５５】
給気風量配分部２３は、総給気風量設定部２４により設定された総給気風量を給気装置仕様読出部２２により読み出された各給気装置４の最大給気風量に応じて配分することで、各々の給気装置４の給気風量を設定する。この配分方法の詳細ついては、図８に示すフローチャートを参照して後述する。
【００５６】
給気風量指示部２６は、各給気装置４について給気風量配分部２３により設定された給気風量を、排気・給気装置送受信部２９を経由して対応する給気装置４に対して指示する。各給気装置４は、設定風量記憶部４ｃを有しており、給気風量指示部２６から指示された給気風量を記憶する。各給気装置４は、通常時は設定風量記憶部４ｃに記憶された給気風量で給気運転を行い、排気装置３の運転状況に応じて給気風量を変化させる。
【００５７】
実給気風量取得部３０は、各々の給気装置４より実際の排気風量である実給気風量を取得する。各給気装置４は、実風量記憶部４ｄを有しており、実際の運転による給気風量が実風量記憶部４ｄに記憶される。実給気風量取得部３０は、排気・給気装置送受信部２９を経由して、各給気装置４から実風量記憶部４ｄに記憶される実給気風量を取得する。取得された実給気風量は、報知処理部２０によって、各給気装置４の運転状況を示すものとして入出力端末５に表示される。
【００５８】
換気制御装置２は、図３に示すように、マイクロコンピュータとして設けられる。即ち、換気制御装置２は、内部にＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３３、記憶部１１としてのＲＡＭ（Ｒａｎｄｏｍ  Ａｃｃｅｓｓ  Ｍｅｍｏｒｙ）３２及びデータフラッシュメモリ３４を備え、各々が内部バス３６を介して接続されている。また、換気制御装置２は、通信部２７として機能するデバイスとしての無線通信モジュール３５も有しており、内部バス３６に接続されている。無線通信モジュール３５は、換気制御装置２に接続される入出力端末５、排気装置３、給気装置４との間で無線通信による通信を可能とする。
【００５９】
ＣＰＵ３１は、例えばＲＡＭ３２を作業領域として利用し、ＲＯＭ３３又はデータフラッシュメモリ３４に記憶されているプログラムを実行し、当該実行結果に基づいて記憶部１１や各デバイスとデータや命令を授受することにより各デバイスの動作を制御する。制御部１５や、当該制御部１５に属する各部は、ＲＯＭ３３やデータフラッシュメモリ３４に記憶されているプログラムであり、ＣＰＵ３１に実行されることであらかじめ決められた処理を実行する。
【００６０】
なお、データフラッシュメモリ３４やＲＯＭ３３、ＲＡＭ３２は、必ずしもこれに限らず、メモリとして機能するのであれば他種のメモリを代用可能である。また、無線通信モジュール３５等のデバイスは、必ずしもマイクロコンピュータ内に備える必要は無く、外部接続としてもよい。
【００６１】
次いで、図４を参照して、換気制御装置２のＣＰＵ３１にて実行される排気風量配分処理について説明する。図４は、その排気風量配分処理を示すフローチャートである。排気風量配分処理は、一般住宅１に対して設定される総排気風量を各排気装置３の最大排気風量に応じて配分し、各々の排気装置３の排気風量を設定する処理である。また、排気風量配分処理は、各々の排気装置３における実排気風量を積算した積算風量を算出し、その積算風量と所定時間当たりに必要な総排気風量とに応じて、各排気装置３の排気風量を調整する処理も行う。
【００６２】
この排気風量配分処理は、換気制御装置２に対し、新たな排気装置３の接続が入出力端末５より入力された場合や、接続された一部の排気装置３が故障したことが検知された場合等、制御可能な排気装置３の接続台数に変化があった場合に実行される。なお、接続された一部の排気装置３の故障が検知された場合は、その故障が検知された排気装置３を除いて、排気風量配分処理が行われる。
【００６３】
排気装置３の故障の検知は、排気装置３から異常を知らせる通知を排気・給気装置送受信部２９を介して受信することによって行われてもよいし、排気装置３から受信した排気装置３の運転状況を見て、換気制御装置２が判断するようにしてもよい。また、排気装置３との通信が予め定められた時間以上行えなかった場合に、排気装置３が故障したと判断してもよい。また、一部の排気装置３の故障が検知された場合は、総排気風量を得るために必要な所定時間が経過するのを待ってから、排気風量配分処理を実行するようにしてもよい。
【００６４】
排気風量配分処理では、まず、一般住宅１に設定された必要な総排気風量を総排気風量記憶部１２より読み出す（Ｓ１１）。このＳ１１の処理が、総排気風量読出部１６に該当する。次いで、換気制御装置２に接続された排気装置３を特定するための情報を読み出す（Ｓ１２）。Ｓ１２では、例えば、排気・給気装置送受信部２９を介して接続された排気装置３にアクセスし、各々の排気装置３のＩＤ記憶部３ａに記憶された識別情報を取得することで、排気装置３を特定するための情報を読み出す。換気制御装置２が直接排気装置３にアクセスすることで、通信可能な排気装置３に対して排気風量の配分を行うことができる。
【００６５】
次いで、Ｓ１２の処理により特定された各々の排気装置３の仕様に関する情報として、各排気装置３の最大排気風量、最小排気風量及び出力可能排気風量の各情報を、排気装置仕様記憶部１３から読み出す（Ｓ１３）。このＳ１３の処理が、排気装置仕様読出部１７に該当する。
【００６６】
そして、排気風量算出設定処理を実行する（Ｓ１４）。Ｓ１４の排気風量算出設定処理は、Ｓ１１の処理により読み出された総排気風量と、Ｓ１３の処理により読み出された各排気装置３の最大排気風量等の情報を用いて、個々の排気装置３に対して設定すべき排気風量を算出する処理である。排気風量算出設定処理の詳細については、図５を参照して後述する。
【００６７】
次いで、実排気風量積算処理を実行し（Ｓ１５）、排気風量配分処理を終了する。Ｓ１５の実排気風量積算処理は、各々の排気装置３における実排気風量を積算した積算風量を算出し、その積算風量と所定時間当たりに必要な総排気風量とに応じて、各排気装置３の排気風量を調整する処理である。実排気風量積算処理の詳細については、図６を参照して後述する。
【００６８】
ここで、図５を参照して、排気風量算出設定処理（Ｓ１４）の詳細について説明する。図５は、排気風量算出設定処理（Ｓ１４）を示すフローチャートである。ここでは、一般住宅１に設定された総排気風量が３２０ＣＦＭであり、３つの排気装置α、β、γに対して排気風量を配分する場合を例示しながら、排気風量算出処理（Ｓ１４）について説明する。各排気装置α、β、γは、いずれも１０ＣＦＭ刻みで排気風量を出力可能であり、各々の最大排気風量／最小排気風量は、排気装置αが２００／５０、排気装置βが１５０／５０、排気装置γが８０／３０であるとする。
【００６９】
なお、総排気風量読出部１６により読み出された総排気風量は、上述した通り、所定時間以内に所定の建物内から排気すべき排気量の総量である。これに対し、排気風量算出設定処理（Ｓ１４）では、各排気装置３に対し、排気風量として１分当たりに排気すべき風量を設定する。よって、排気風量算出設定処理（Ｓ１４）では、各排気装置３に配分する総排気風量として、総排気風量読出部１６により読み出された総排気風量から１分当たりに排気すべき総排気量に換算したものを使用する。
【００７０】
排気風量算出設定処理（Ｓ１４）では、まず、排気風量を設定する排気装置３を選択し、設定する排気装置３の順番を決定する（Ｓ２１）。具体的には、排気風量配分処理（図４）のＳ１２の処理により特定された、換気制御装置２に接続された排気装置３を、排気風量を設定する排気装置３として選択し、最大排気風量の大きい順に設定する排気装置３の順番を決定する。上記の例では、排気装置α、排気装置β、排気装置γの順番に、排気風量を設定する。最大排気風量の大きい順に排気風量を配分していくことで、全ての排気装置３に対して排気風量を配分した場合に、その排気風量の合計が総排気風量に満たなくなる可能性を少なくできる。ただし、排気風量算出設定処理（Ｓ１４）では、必ずしも最大排気風量の大きい順に排気風量を配分する必要はなく、任意の順番で排気装置３に対し排気風量を配分してもよい。
【００７１】
次いで、１台目の排気装置３に対する排気風量の配分を行うか否か、つまり、まだ１台も排気装置３に対する排気風量の配分を行っていないか否かを判断する（Ｓ２２）。そして、１台目の排気装置３に対する排気風量の配分を行う（まだ１台も排気装置３に対する排気風量の配分を行っていない）と判断される場合は（Ｓ２２：Ｙｅｓ）、次いで、１台目の排気装置３（上記の例では排気装置α）に対する排気風量を次の（１）式にて算出し、総排気風量の配分を行う（Ｓ２３）。
当該排気装置３の排気風量
＝総排気風量×当該排気装置３の最大排気風量／全最大排気風量の総和…（１）
例えば、上記の例では、排気装置αの排気風量を次のように算出する。
【００７２】
排気装置αの排気風量＝３２０×２００／４３０＝１４８．８ＣＦＭ
そして、Ｓ２３の処理により算出した排気風量以上であって、その排気風量に最も近い１台目の排気装置３の出力可能排気風量を、その１台目の排気装置３に配分する排気風量として設定する（Ｓ２４）。例えば、上記の例では、排気装置αの排気風量を１５０ＣＦＭに設定する。
【００７３】
ただし、Ｓ２４の処理では、Ｓ２３の処理にて算出した排気風量が、１台目の排気装置３の最大排気風量を超えている場合に、１台目の排気装置３の排気風量をその最大排気風量に設定する。また、Ｓ２４の処理では、Ｓ２３の処理にて算出した排気風量が、１台目の排気装置３の最小排気風量未満である場合に、１台目の排気装置３の排気風量をその最小排気風量に設定する。これにより、排気装置３に対して、その能力範囲を外れて排気風量が配分されることを防ぐことができる。Ｓ２４の処理で設定された排気風量は、排気・給気装置送受信部２９を介して、該当する排気装置３に指示される。つまり、Ｓ２４の処理が、排気風量指示部１９に該当する。
【００７４】
なお、Ｓ２４の処理では、Ｓ２３の処理により算出した排気風量以上であって、その排気風量に最も近い１台目の排気装置３の出力可能排気風量を、その１台目の排気装置３に配分する排気風量として設定したが、必ずしもこれに限られるものではない。例えば、Ｓ２３の処理により算出した排気風量に最も近い１台目の排気装置３の出力可能排気風量を、その１台目の排気装置３に配分する排気風量として設定してもよい。また、Ｓ２３の処理により算出した排気風量以下であって、その排気風量に最も近い１台目の排気装置３の出力可能排気風量を、その１台目の排気装置３に配分する排気風量として設定してもよい。
【００７５】
次いで、Ｓ２１の処理にて選択された排気装置３に対して排気風量の配分が終了したか否かを判断し（Ｓ２５）、終了していなければ（Ｓ２５：Ｎｏ）の処理に戻る。
【００７６】
Ｓ２２の判断の結果、２台目以降の排気装置３に対する排気風量の配分を行う（既に１台の排気装置３に対する排気風量の配分を行っている）と判断される場合は（Ｓ２２：Ｎｏ）、Ｓ２６の処理へ移行する。Ｓ２６の処理では、総排気風量のうち、未配分の排気風量（残風量）を次の（２）式にて算出する。
【００７７】
排気風量（残風量）＝前回排気風量（残風量）−直前配分風量…（２）
ここで、前回排気風量（残風量）は、前回の排気風量の配分時に未配分であった排気風量（残風量）の総計であり、直前配分風量は、直前に配分が行われた排気装置３に対して配分された排気風量である。
【００７８】
次いで、次に配分対象となる排気装置３に対する排気風量を、（２）式で算出した排気風量（残風量）を用いて次の（３）式にて算出し、総排気風量の配分を行う。
当該排気装置３の排気風量
＝排気風量（残風量）×当該排気装置３の最大排気風量／未配分最大排気風量の総和
…（３）
ここで未配分最大排気風量の総和は、未配分の排気装置３における最大排気風量の総和である。
【００７９】
そして、Ｓ２７の処理にて算出した排気風量以上であって、その排気風量に最も近い配分対象の排気装置３の出力可能排気風量を、その配分対象の排気装置３に配分する排気風量として設定する（Ｓ２８）。このとき、Ｓ２４の処理と同様に、Ｓ２７の処理にて算出した排気風量が、配分対象の排気装置３の最大排気風量を超えているか、又は、最小排気風量未満である場合に、配分対象の排気装置３の排気風量を、最大排気風量又は最小排気風量に設定する。Ｓ２８の処理で設定された排気風量は、排気・給気装置送受信部２９を介して、該当する排気装置３に指示される。つまり、Ｓ２８の処理も、排気風量指示部１９に該当する。
【００８０】
Ｓ２８の処理の後、Ｓ２５の処理へ移行する。そして、Ｓ２１の処理にて選択された全ての排気装置３について配分が終了するまで、Ｓ２２〜Ｓ２８の処理が繰り返し実行される。このＳ２２〜Ｓ２８の処理が、排気風量配分部１８に該当する。
【００８１】
ここで、Ｓ２６〜Ｓ２８の処理を上記の例で説明する。まず、２台目の排気装置３として排気装置βの排気風量を配分する場合、先にＳ２６の処理にて排気風量（残風量）を算出する。１台目の排気装置αの排気風量の配分時に未配分であった排気風量は総排気風量そのもの（３２０ＣＦＭ）であり、１台目の排気装置αには、排気風量として１５０ＣＦＭが配分されたので、排気風量（残風量）は以下の通りとなる。
【００８２】
排気風量（残風量）＝３２０−１５０＝１７０ＣＦＭ
そして、Ｓ２７の処理にて、２台目の排気装置βの排気風量を以下の通りに算出する。
【００８３】
排気装置βの排気風量＝１７０×１５０／２３０＝１１０．８ＣＦＭ
そして、Ｓ２８の処理にて、２台目の排気装置βの排気風量は、１２０ＣＦＭに設定される。
【００８４】
次いで、３台目の排気装置３として排気装置γの排気風量を配分する場合も、先にＳ２６の処理にて排気風量（残風量）を算出する。２台目の排気装置βの排気風量の配分時に未配分であった排気風量は１７０ＣＦＭであり、２台目の排気装置βには、排気風量として１２０ＣＦＭが配分されたので、排気風量（残風量）は以下の通りとなる。
【００８５】
排気風量（残風量）＝１７０−１２０＝５０ＣＦＭ
そして、Ｓ２７の処理にて、３台目の排気装置γの排気風量を以下の通りに算出する。
【００８６】
排気装置βの排気風量＝５０×８０／８０＝５０ＣＦＭ
そして、Ｓ２８の処理にて、３台目の排気装置γの排気風量は、５０ＣＦＭに設定される。
【００８７】
なお、上述の式でわかる通り、配分対象として最後の排気装置３の配分を行う場合、Ｓ２７の処理では、結局Ｓ２６の処理で算出した排気風量（残風量）がそのまま、その最後の配分対象となる排気装置３の排気風量として算出されることとなる。よって、配分対象として最後の排気装置３の配分を行う場合は、Ｓ２６の処理の後Ｓ２７の処理をスキップし、Ｓ２６の処理で算出した排気風量（残風量）を配分対象の排気装置３にて算出される排気風量として、Ｓ２８の処理へ移行してもよい。
【００８８】
Ｓ２５の判断の結果、Ｓ２１の処理にて選択された全ての排気装置３について配分が終了したと判断された場合（Ｓ２５：Ｙｅｓ）、次いで、排気風量が配分された全ての排気装置３について設定された排気風量の総和（以下「全設定排気風量」という）が、総排気風量と異なるか否かを判断する（Ｓ２９）。
【００８９】
一般住宅１に能力の低い排気装置３を設置した場合、排気風量を配分した排気装置３を全て最大排気風量に設定しても総排気風量に満たない場合があり得る。一方で、一般住宅１に能力の高い排気装置３を設置した場合、排気風量を配分した排気装置３を全て最小排気風量に設定しても総排気風量を超える場合もあり得る。Ｓ２９は、そのような事象が起きているか否かを判断する。
【００９０】
そして、Ｓ２９の判断の結果、全設定排気風量が総排気風量と異なると判断される場合は（Ｓ２９：Ｙｅｓ）、入出力端末５に対し、入出力端末送受信部２８を経由して、そのような状態であることを示す警告情報を送信し（Ｓ３０）、排気風量算出設定処理を終了する。Ｓ３０の処理が、報知処理部２０に該当する。入出力端末５は、この警告情報に基づいて、警告音を発したり、警告画面を表示させたりすることで、ユーザに、排気装置３の排気能力では所望の排気ができない又は所望以上の排気が行われる可能性がある旨を伝えることができる。
【００９１】
ここで、警告情報は、全設定排気風量が総排気風量未満であるのか否かを示す情報を含めるのが好ましい。その情報の内容に応じて入出力端末５による報知方法を変更することで、ユーザに、排気装置３の排気能力では所望の排気ができない可能性があるのか、所望以上の排気が行われる可能性があるのかを明確に知らせることができる。
【００９２】
また、全設定排気風量が総排気風量未満である場合、Ｓ３０の処理では、各排気装置３に対して最大排気風量にて運転するように指示する。これにより、設置された排気装置３の排気能力が低くすぎる場合には、各々の排気装置３を最大排気風量で運転させ、総排気風量での排気に可能な限り近づけることができる。また、全設定排気風量が総排気風量より大きい場合、Ｓ３０の処理では、各排気装置３に対して最小排気風量にて運転するように指示する。これにより、設置された排気装置３の排気能力が高すぎる場合には、各々の排気装置３において最小排気風量で運転させ、総排気風量での排気に可能な限り近づけることができる。
【００９３】
なお、Ｓ３０の処理において、警告情報を入出力端末５へ送信した場合に、各排気装置３の運転を停止するようにしてもよい。また、警告情報を入出力端末５へ送信した場合に各排気装置３の運転を行うか否かを、換気制御装置２の設置時やユーザの設定によって選択できるようにしてもよい。
【００９４】
また、Ｓ２９の処理において、全設定排気風量が総排気風量未満であるか否かだけを判断して、全設定排気風量が総排気風量未満である場合に、警告情報を入出力端末５へ送信し、各排気装置３に対して最大排気風量にて運転するように指示するようにしてもよい。全設定排気風量が総排気風量より大きい場合は、各排気装置３により実際に排気された排気風量（積算風量）が総排気量に達したときに各排気装置３の運転を停止すればよく、必ずしも警告の必要がないためである。
【００９５】
Ｓ２９の処理の結果、全設定排気風量が総排気風量と等しいと判断される場合は（Ｓ２９：Ｎｏ）、そのまま排気風量算出設定処理を終了する。なお、上述したように、排気装置３の排気能力では所望の排気ができない又は所望以上の排気が行われる可能性がある旨の報知を無効とする設定情報が記憶部１１に記憶されている場合は、Ｓ３０の処理において、入出力端末５に対して警告情報を送信せず、全設定排気風量と総排気風量との大小関係に応じて最大排気風量又は最小排気風量にて運転するよう各排気装置３に対して指示する。
【００９６】
次いで、図６を参照して、実排気風量積算処理（Ｓ１５）の詳細について説明する。図６は、実排気風量積算処理（Ｓ１５）を示すフローチャートである。
【００９７】
実排気風量積算処理（Ｓ１５）では、まず、一般住宅１に設定された必要な総排気風量を総排気風量記憶部１２より読み出す（Ｓ３１）。このＳ３１の処理は、総排気風量読出部１６に該当する。なお、この総排気風量は、排気風量算出設定処理で使用される総排気風量と異なり、所定時間（例えば１時間）当たりに必要な総排気風量である。
【００９８】
次いで、各々の排気装置３より、各排気装置３の実風量記憶部３ｄに記憶される実際の排気風量である実排気風量を取得する（Ｓ３２）。このＳ３２の処理は、実排気風量取得部２５に該当する。
【００９９】
次いで、各々の排気装置３の仕様に関する情報として、各排気装置３の最大排気風量、最小排気風量及び出力可能排気風量の各情報を、排気装置仕様記憶部１３から読み出す（Ｓ３３）。このＳ３３の処理は、排気装置仕様読出部１７に該当する。
【０１００】
次いで、Ｓ３２の処理により取得した各排気装置３の実排気風量から、１分毎にその１分間で各排気装置３から排気される実排気風量を積算した積算風量を算出する（Ｓ３４）。ただし、Ｓ３４の処理では、所定時間が経過する毎に積算風量を０にリセットする。これにより、所定時間毎に実排気風量が積算され、その積算風量と所定時間当たりに必要な総排気風量とに応じて、各排気装置３の排気風量を調整する。Ｓ３４の処理は、本発明の実排気風量積算部に該当する。
【０１０１】
そして、Ｓ３４の処理により算出した積算風量が、Ｓ３１の処理により読み出された総排気風量より大きいか否かを判断する（Ｓ３５）。その結果、積算風量が総排気風量より大きいと判断される場合は（Ｓ３５：Ｙｅｓ）、積算風量が総排気風量に達したことを意味する。よって、この場合、各排気装置３に対して停止指令を送信する（Ｓ３６）。これにより、所定時間が経過する前に積算風量が総排気風量に達した場合は、各排気装置３の排気運転を停止させることで、必要以上に排気が行われることを抑制できる。なお、Ｓ３６の処理を実行後は、積算風量が総排気風量に達しているので、所定時間が経過するまでＳ３４の処理による積算風量の算出を停止してもよい。
【０１０２】
一方、Ｓ３５の処理の結果、積算風量が総排気風量以下であると判断された場合（Ｓ３５：Ｎｏ）、次いで、Ｓ３４により算出された積算風量とその時点での各排気装置３の実排気風量とから所定時間で達成見込みの積算風量を算出し、その所定時間で積算風量が総排気風量を達成できない見込みであるか否かを判断する（Ｓ３７）。その結果、所定時間で総排気風量を達成できない見込みであると判断される場合は（Ｓ３７：Ｙｅｓ）、各排気装置３へ、最大排気風量での運転を指示する（Ｓ３８）。これにより、各排気装置３に設定された現在の排気風量で運転を続けていては、所定時間で総排気風量を達成できない見込みである場合に、各排気装置３の排気風量を最大排気風量とすることで、所定時間での総排気風量の排気を可能な限り達成できるように制御できる。
【０１０３】
一方、Ｓ３７の処理の結果、所定時間で総排気風量を達成できる見込みであると判断される場合は（Ｓ３７：Ｎｏ）、Ｓ３６やＳ３８の処理をスキップし、現在各排気装置３に設定されている排気風量を維持する。
【０１０４】
Ｓ３４〜Ｓ３８の処理は、１分毎に繰り返し行われる。そして、新たに図４に示す排気風量配分処理の実行を開始する契機となった場合に、Ｓ３４〜Ｓ３８の処理を終了する。このＳ３４〜Ｓ３８の処理が、能力調整部２１に該当する。
【０１０５】
なお、Ｓ３７の処理では、現在の積算風量から所定時間で達成見込みの積算風量を算出し、総排気風量に対する過不足を算出して、その過不足の大きさに応じて、各々の排気装置３の排気風量を、Ｓ３３の処理にて読み出した各排気装置３の最大排気風量、最小排気風量及び出力可能排気風量の各情報に応じて段階的に設定するようにしてもよい。具体的には、所定時間で達成見込みの積算風量が総排気風量に対して過剰な場合は、その剰余分の大きさに応じて、各排気装置３の排気風量を小さく設定する減速運転を指示してもよい。また、所定時間で達成見込みの積算風量が総排気風量に対して不足な場合は、その不足分の大きさに応じて、各排気装置３の排気風量を大きく設定する加速運転を指示してもよい。
【０１０６】
次いで、図７を参照して、換気制御装置２のＣＰＵ３１にて実行される給気風量配分処理について説明する。図７は、その給気風量配分処理を示すフローチャートである。給気風量配分処理は、排気装置３を実際に運転した場合の実排気風量の総和を総給気風量として設定する。そして、給気風量配分処理は、総給気風量を給気装置４の最大給気風量に応じて配分し、各々の給気装置４の給気風量を設定する。
【０１０７】
この給気風量配分処理は、排気風量配分処理にて排気装置３に対する排気風量の配分が行われた後や、接続された一部の給気装置４が故障したことが検知された場合に実行される。なお、接続された一部の給気装置４の故障が検知された場合は、その故障が検知された給気装置４を除いて、給気風量配分処理が行われる。
【０１０８】
給気装置４の故障の検知は、給気装置４から異常を知らせる通知を排気・給気装置送受信部２９を介して受信することによって行われてもよいし、給気装置４から受信した給気装置４の運転状況を見て、換気制御装置２が判断するようにしてもよい。また、給気装置４との通信が予め定められた時間以上行えなかった場合に、給気装置４が故障したと判断してもよい。また、一部の給気装置４の故障が検知された場合は、総給気風量（又は総排気風量）を得るために必要な所定時間が経過するのを待ってから、給気風量配分処理を実行するようにしてもよい。
【０１０９】
給気風量配分処理では、まず、各排気装置３の実際に排気風量である実排気風量を、排気・給気装置送受信部２９を経由して各排気装置３より読み出す（Ｓ４１）。このＳ４１の処理が、実排気風量取得部２５に該当する。
【０１１０】
次いで、Ｓ４１にて読み出した各排気装置３の実排気風量の総和（全排気風量）を、給気に必要な総給気風量として設定する（Ｓ４２）。このＳ４２の処理が、総給気風量設定部２４に該当する。
【０１１１】
次いで、換気制御装置２に接続された給気装置４を特定するための情報を読み出す（Ｓ４３）。Ｓ４３では、例えば、排気・給気装置送受信部２９を介して接続された給気装置４にアクセスし、各々の給気装置４のＩＤ記憶部４ａに記憶された識別情報を取得することで、給気装置４を特定するための情報を読み出す。換気制御装置２が直接給気装置４にアクセスすることで、通信可能な給気装置４に対して、給気風量の配分を行うことができる。
【０１１２】
次いで、Ｓ４４の処理により特定された各々の給気装置４の仕様に関する情報として、各給気装置４の最大給気風量、最小給気風量及び出力可能給気風量の各情報を、給気装置仕様記憶部１４から読み出す（Ｓ４４）。このＳ４４の処理が、給気装置仕様読出部２２に該当する。
【０１１３】
そして、給気風量算出設定処理を実行し（Ｓ４５）、給気風量配分処理を終了する。Ｓ４５の給気風量算出設定処理は、Ｓ４２の処理により設定された総給気風量と、Ｓ４４の処理により読み出された各給気装置４の最大給気風量等の情報を用いて、個々の給気装置４に対して設定すべき給気風量を算出する処理である。
【０１１４】
ここで、図８を参照して、給気風量算出設定処理（Ｓ４５）の詳細について説明する。図８は、給気風量算出設定処理（Ｓ４５）を示すフローチャートである。ここでは、総給気風量が３２０ＣＦＭであり、２つの給気装置α、βに対して給気風量を配分する場合を例示しながら、給気風量算出処理（Ｓ４５）について説明する。各給気装置α、βは、いずれも１０ＣＦＭ刻みで給気風量を出力可能であり、各々の最大排気風量／最小排気風量は、給気装置αが２００／５０、給気装置βが１５０／５０であるとする。
【０１１５】
給気風量算出設定処理（Ｓ４５）では、まず、給気風量を設定する給気装置４を選択し、設定する給気装置４の順番を決定する（Ｓ５１）。具体的には、給気風量配分処理（図７）のＳ４３の処理により特定された、換気制御装置２に接続された給気装置４を、給気風量を設定する給気装置４として選択し、最大給気風量の大きい順に設定する給気装置４の順番を決定する。上記の例では、給気装置α、給気装置βの順番に、給気風量を設定する。最大給気風量の大きい順に給気風量を配分していくことで、全ての給気装置４に対して給気風量を配分した場合に、その給気風量の合計が総給気風量に満たなくなる可能性を少なくできる。ただし、給気風量算出設定処理では、必ずしも最大給気風量の大きい順に給気風量を配分する必要はなく、任意の順番で給気装置４に対し給気風量を配分してもよい。
【０１１６】
次いで、１台目の給気装置４に対する給気風量の配分を行うか否か、つまり、まだ１台も給気装置４に対する給気風量の配分を行っていないか否かを判断する（Ｓ５２）。そして、１台目の給気装置４に対する給気風量の配分を行う（まだ１台も給気装置４に対する給気風量の配分を行っていない）と判断される場合は（Ｓ５２：Ｙｅｓ）、次いで、１台目の給気装置４（上記の例では給気装置α）に対する給気風量を次の（４）式にて算出し、総給気風量の配分を行う（Ｓ５３）。
当該給気装置４の給気風量
＝総給気風量×当該給気装置４の最大給気風量／全最大給気風量の総和…（４）
例えば、上記の例では、給気装置αの給気風量を次のように算出する。
【０１１７】
給気装置αの給気風量＝３２０×２００／３５０＝１８２．８ＣＦＭ
そして、Ｓ５３の処理により算出した給気風量以上であって、その給気風量に最も近い１台目の給気装置４の出力可能給気風量を、その１台目の給気装置４に配分する給気風量として設定する（Ｓ５４）。例えば、上記の例では、給気装置αの給気風量を１９０ＣＦＭに設定する。
【０１１８】
ただし、Ｓ５４の処理では、Ｓ５３の処理にて算出した給気風量が、１台目の給気装置４の最大給気風量を超えている場合に、１台目の給気装置４の給気風量をその最大給気風量に設定する。また、Ｓ５４の処理では、Ｓ５３の処理にて算出した給気風量が、１台目の給気装置４の最小給気風量未満である場合に、１台目の給気装置４の給気風量をその最大給気風量に設定する。これにより、給気装置４に対して、その能力範囲を外れて給気風量が配分されることを防ぐことができる。Ｓ５４の処理で設定された給気風量は、排気・給気装置送受信部２９を介して、該当する給気装置４に指示される。つまり、Ｓ５４の処理が、給気風量指示部２６に該当する。
【０１１９】
なお、Ｓ５４の処理では、Ｓ５３の処理により算出した給気風量以上であって、その給気風量に最も近い１台目の給気装置４の出力可能給気風量を、その１台目の給気装置４に配分する給気風量として設定したが、必ずしもこれに限られるものではない。例えば、Ｓ５３の処理により算出した給気風量に最も近い１台目の給気装置４の出力可能給気風量を、その１台目の給気装置４に配分する給気風量として設定してもよい。また、Ｓ５３の処理により算出した給気風量以下であって、その給気風量に最も近い１台目の給気装置４の出力可能給気風量を、その１台目の給気装置４に配分する給気風量として設定してもよい。
【０１２０】
次いで、Ｓ５１の処理にて選択された給気装置４に対して給気風量の配分が終了したか否かを判断し（Ｓ５５）、終了していなければ（Ｓ５２：Ｎｏ）の処理に戻る。
【０１２１】
Ｓ５２の判断の結果、２台目以降の給気装置４に対する給気風量の配分を行う（既に１台の給気装置４に対する給気風量の配分を行っている）と判断される場合は（Ｓ５２：Ｎｏ）、Ｓ５６の処理へ移行する。Ｓ５６の処理では、総給気風量のうち、未配分の給気風量（残風量）を次の（５）式にて算出する。
【０１２２】
給気風量（残風量）＝前回給気風量（残風量）−直前配分風量…（５）
ここで、前回給気風量（残風量）は、前回の給気風量の配分時に未配分であった給気風量（残風量）の総計であり、直前配分風量は、直前に配分が行われた給気装置４に対して配分された給気風量である。
【０１２３】
次いで、次に配分対象となる給気装置４に対する給気風量を、（５）式で算出した給気風量（残風量）を用いて次の（６）式にて算出し、総給気風量の配分を行う。
当該給気装置４の給気風量
＝給気風量（残風量）×当該給気装置４の最大給気風量／未配分最大給気風量の総和
…（６）
ここで未配分最大給気風量の総和は、未配分の給気装置４における最大給気風量の総和である。
【０１２４】
そして、Ｓ５７の処理にて算出した給気風量以上であって、その給気風量に最も近い配分対象の給気装置４の出力可能給気風量を、その配分対象の給気装置４に配分する給気風量として設定する（Ｓ５８）。このとき、Ｓ５４の処理と同様に、Ｓ５７の処理にて算出した給気風量が、配分対象の給気装置４の最大給気風量を超えているか、又は、最小給気風量未満である場合に、配分対象の給気装置４の給気風量を、最大給気風量又は最小給気風量に設定する。Ｓ５８の処理で設定された給気風量は、排気・給気装置送受信部２９を介して、該当する給気装置４に指示される。つまり、Ｓ５８の処理も、給気風量指示部２６に該当する。
【０１２５】
なお、Ｓ５８の処理では、Ｓ５４の処理と同様に、Ｓ５７の処理により算出した給気風量に最も近い配分対象の給気装置４の出力可能給気風量を、その配分対象の給気装置４に配分する給気風量として設定してもよい。また、Ｓ５７の処理により算出した給気風量以下であって、その給気風量に最も近い配分対象の給気装置４の出力可能給気風量を、その配分対象の給気装置４に配分する給気風量として設定してもよい。
【０１２６】
Ｓ５８の処理の後、Ｓ５５の処理へ移行する。そして、Ｓ５１の処理にて選択された全ての給気装置４について配分が終了するまで、Ｓ５２〜Ｓ５８の処理が繰り返し実行される。このＳ５２〜Ｓ５８の処理が、給気風量配分部２３に該当する。
【０１２７】
ここで、Ｓ５６〜Ｓ５８の処理を上記の例で説明する。２台目の給気装置４として給気装置βの給気風量を配分する場合、先にＳ５６の処理にて給気風量（残風量）を算出する。１台目の給気装置αの給気風量の配分時に未配分であった給気風量は総給気風量そのもの（３２０ＣＦＭ）であり、１台目の給気装置αには、給気風量として１９０ＣＦＭが配分されたので、給気風量（残風量）は以下の通りとなる。
【０１２８】
給気風量（残風量）＝３２０−１９０＝１３０ＣＦＭ
そして、Ｓ５７の処理にて、２台目の給気装置βの給気風量を以下の通りに算出する。
【０１２９】
給気装置βの給気風量＝１３０×１５０／１５０＝１３０ＣＦＭ
そして、Ｓ５８の処理にて、２台目の給気装置βの給気風量は、１３０ＣＦＭに設定される。
【０１３０】
なお、上述の式でわかる通り、配分対象として最後の給気装置４の配分を行う場合、Ｓ５７の処理では、結局Ｓ５６の処理で算出した給気風量（残風量）がそのまま、その最後の配分対象となる給気装置４の給気風量として算出されることとなる。よって、配分対象として最後の給気装置４の配分を行う場合は、Ｓ５６の処理の後Ｓ５７の処理をスキップし、Ｓ５６の処理で算出した給気風量（残風量）を配分対象の給気装置４にて算出される給気風量として、Ｓ５８の処理へ移行してもよい。
【０１３１】
Ｓ５５の判断の結果、Ｓ５１の処理にて選択された全ての給気装置４について配分が終了したと判断された場合（Ｓ５５：Ｙｅｓ）、次いで、給気風量が配分された全ての給気装置４について設定された給気風量の総和（以下「全設定給気風量」という）が、総給気風量と異なるか否かを判断する（Ｓ５９）。
【０１３２】
一般住宅１に能力の高い給気装置４を設置した場合、給気風量を配分した給気装置４を全て最大給気風量に設定しても総給気風量に満たない場合があり得る。また、一般住宅１に能力の低い給気装置４を設置した場合、給気風量を配分した給気装置４を全て最小給気風量に設定しても総給気風量を超える場合もあり得る。Ｓ５９は、そのような事象が起きているか否かを判断する。
【０１３３】
そして、Ｓ５９の判断の結果、全設定給気風量が総給気風量と異なると判断される場合は（Ｓ５９：Ｙｅｓ）、入出力端末５に対し、入出力端末送受信部２８を経由して、そのような状態であることを示す警告情報を送信し（Ｓ６０）、給気風量算出設定処理を終了する。入出力端末５は、この警告情報に基づいて、警告音を発したり、警告画面を表示させたりすることで、ユーザに、給気装置４の給気能力では所望の給気ができない又は所望以上の給気が行われる可能性がある旨を伝えることができる。
【０１３４】
ここで、警告情報は、全設定給気風量が総給気風量未満であるのか否かを示す情報を含めるのが好ましい。その情報の内容に応じて入出力端末５による報知方法を変更することで、ユーザに、給気装置４の給気能力では所望の給気ができない可能性があるのか、所望以上の給気が行われる可能性があるのかを明確に知らせることができる。
【０１３５】
また、全設定給気風量が総給気風量未満である場合、Ｓ６０の処理では、各給気装置４に対して最大給気風量にて運転するように指示する。これにより、設置された給気装置４の給気能力が低くすぎる場合には、各々の給気装置４を最大給気風量で運転させ、総給気風量での給気に可能な限り近づけることができる。また、全設定給気風量が総給気風量より大きい場合、Ｓ３０の処理では、各給気装置４に対して最小給気風量にて運転するように指示する。これにより、設置された給気装置４の給気能力が高すぎる場合には、各々の給気装置４において最小給気風量で運転させ、総給気風量での給気に可能な限り近づけることができる。
【０１３６】
なお、Ｓ６０の処理において、警告情報を入出力端末５へ送信した場合に、各給気装置４の運転を停止するようにしてもよい。また、警告情報を入出力端末５へ送信した場合に各給気装置４の運転を行うか否かを、換気制御装置２の設置時やユーザの設定によって選択できるようにしてもよい。
【０１３７】
また、Ｓ５９の処理において、全設定給気風量が総給気風量未満であるか否かだけを判断して、全設定給気風量が総排気風量未満である場合に、警告情報を入出力端末５へ送信し、各給気装置４に対して最大排気風量にて運転するように指示するようにしてもよい。全設定給気風量が総給気風量より大きい場合であっても、各給気装置４の実際の給気風量を各排気装置３の実際の排気風量に応じて制御することで、バランスのよい換気が行えるので、必ずしも警告の必要がないためである。
【０１３８】
Ｓ５９の処理の結果、全設定給気風量が総給気風量と等しいと判断される場合は（Ｓ５９：Ｎｏ）、そのまま給気風量算出設定処理を終了する。なお、上述したように、給気装置４の給気能力では所望の給気ができない又は所望以上の給気が行われる可能性がある旨の報知を無効とする設定情報が記憶部１１に記憶されている場合は、Ｓ６０の処理において、入出力端末５に対して警告情報を送信せず、全設定給気風量と総給気風量との大小関係に応じて最大給気風量又は最小給気風量にて運転するよう各給気装置４に対して指示する。
【０１３９】
以上、第１実施形態に係る換気制御装置２及び換気システム４０では、一般住宅１に対して設定される総排気風量を各排気装置３の最大排気風量に応じて配分されて、各々の排気装置３の排気風量が設定される。これにより、各排気装置３の能力に応じてバランスよく排気風量が設定される。よって、換気システム４０の省エネルギー運転を可能にできる。また、各排気装置３の実排気風量の総和から総給気風量を設定し、総給気風量を各給気装置４の最大給気風量に応じて配分されて、各々の給気装置４の給気風量が設定される。これにより、各給気装置４の能力に応じてバランスよく排気風量が設定される。よって、給気の面からも換気システム４０の省エネルギー運転を可能にできる。
【０１４０】
そして、総給気風量は、排気装置３の実排気風量の総和から設定されるので、排気と給気をバランスよく制御できる。
【０１４１】
また、換気制御装置２に接続された各排気装置３及び給気装置４の排気風量又は給気風量を自動で配分し、設定できるので、建物の建築・建設業者等が各々の排気装置３及び給気装置４に対して個別に排気風量又は給気風量を設定する必要がなく、複雑な設定を不要とすることができる。
【０１４２】
（第２実施形態）
次いで、図９〜図１６を参照して、第２実施形態に係る換気制御装置２及び換気システム４０について説明する。第１実施形態に係る換気制御装置２では、一般住宅１に設定された総排気風量を設置された複数の排気装置３に対して配分し、また、実排気風量の総和を総給気風量として複数の給気装置４に対して配分する場合について説明した。これに対し、第２実施形態に係る換気制御装置２では、一般住宅１に設置された複数の排気装置３及び給気装置４を複数のグループに分割する。そして、第２実施形態に係る換気制御装置２は、まず、一般住宅１に設定された総排気風量を、各グループに配分し、各グループの中で、そのグループに含まれる排気装置３に対して配分された排気風量を更に配分する。また、第２実施形態に係る換気制御装置２は、グループ毎に、そのグループに含まれる排気装置３による実排気風量の総和をそのグループの総給気風量に設定し、そのグループに含まれる給気装置４に対して、そのグループに設定された総給気風量を配分する。
【０１４３】
以下、第２実施形態に係る換気制御装置２及び換気システム４０について、第１実施形態に係る換気制御装置２及び換気システム４０と相違する点を中心に説明する。第１実施形態に係る換気制御装置２及び換気システム４０と同一の構成については、同一の符号を付し、その説明を省略する。
【０１４４】
図９は、本第２実施形態に係る換気システム４０の接続概略図である。図９に例示する換気システム４０では、一般住宅１に対し、５つの排気装置３Ａ〜３Ｅ（任意の排気装置を示す場合は「排気装置３」と称す）と、５つの給気装置４Ａ〜４Ｅ（任意の給気装置を示す場合は「給気装置４」と称す）とが設置されている。各々の排気装置３Ａ〜３Ｅと給気装置４Ａ〜４Ｅとが、２つのグループＧ１及びＧ２に分割されている。図９の例では、グループＧ１に、排気装置３Ａ〜３Ｃと給気装置４Ａ、４Ｂとを含め、グループＧ２に、排気装置３Ｄ、３Ｅと給気装置４Ｃ〜４Ｅとを含めている。グループ化は、後述する換気制御装置２のグループ化部５２（図１０）によって行われる。
【０１４５】
ここで、建物が複数の階層を持つ構造や一定の閉鎖空間を持つような構造である場合、各階層や閉鎖空間内で風路が形成される。例えば、排気装置３Ａ〜３Ｃと給気装置４Ａ、４Ｂとの間で風路６Ａ、６Ｂが形成され、排気装置３Ｄ、３Ｅと給気装置４Ｃ〜４Ｅとの間で風路６Ｃ〜６Ｅが形成される。
【０１４６】
そこで、換気制御装置２は、そのような各階層や空間毎に排気装置３及び給気装置４をグループ化し、各グループの中で排気と給気のバランスがとれるように、各排気装置３Ａ〜３Ｅ及び給気装置４Ａ〜４Ｅの排気風量又は給気風量を設定する。これにより、各階層や閉鎖空間内でも給気空間から排気空間への風路設計を容易にすることができる。
【０１４７】
次いで、図１０を参照して、第２実施形態に係る換気制御装置２の各機能について説明する。図１０は、その換気制御装置２の概略機能ブロック図である。
【０１４８】
第２実施形態に係る換気制御装置２が第１実施形態に係る換気制御装置２と相違する点は、記憶部１１にグループ情報記憶部５１を備えている点と、制御部１５にグループ化部５２及び情報変更部５３を備えている点と、排気風量配分部１８がグループ排気風量配分部１８ａと個別排気風量配分部１８ｂとを備えている点である。また、給気風量配分部２３及び総給気風量設定部２４も、その処理が異なっている。
【０１４９】
グループ情報記憶部５１は、排気装置３Ａ〜３Ｅ及び給気装置４Ａ〜４Ｅを分割するグループを識別するためのグループ識別情報に対応付けて、該当するグループに含める排気装置及び給気装置の識別情報を記憶する。つまり、グループ情報記憶部５１には、各々の排気装置３及び給気装置４と、その排気装置３及び給気装置４とが含まれるグループとの対応関係を示す情報が記憶される。
【０１５０】
グループ化部５２は、グループ情報記憶部５１に記憶された情報に基づいて、排気装置３Ａ〜３Ｅ及び給気装置４Ａ〜４Ｅを複数のグループに分割する。例えば、グループ情報記憶部５１において、グループＧ１の識別情報に対応付けて排気装置３Ａ〜３Ｃと給気装置４Ａ、４Ｂとの識別情報が記憶されていれば、グループＧ１に排気装置３Ａ〜３Ｃと給気装置４Ａ、４Ｂとを含める。また、グループＧ２の識別情報に対応付けて、排気装置３Ｄ、３Ｅと給気装置４Ｃ〜４Ｅとの識別情報が記憶されていれば、グループＧ２に、排気装置３Ｄ、３Ｅと給気装置４Ｃ〜４Ｅとを含める。
【０１５１】
情報変更部５３は、グループ情報記憶部５１に記憶されている情報を変更するものである。例えば、一般住宅１内に新たな壁を設けたり、逆に壁をとったりするなどして、一般住宅１内の閉鎖空間が変更されることがある。そのような場合、一般住宅１内の風路設計を変更する必要がある。例えば、図１１に示すように、給気装置４ＣのグループをグループＧ２からグループＧ１へ変更し、風路６Ｃに代えて、新たな風路６Ｆを形成することが考えられる。
【０１５２】
このような場合に備え、第２実施形態に係る換気制御装置２は、排気装置３Ａ〜３Ｅ及び給気装置４Ａ〜４Ｅを分割するグループを増やしたり、各グループに含まれる排気装置３Ａ〜３Ｅ及び給気装置４Ａ〜４Ｅを変更したりできる。また、新たに排気装置や給気装置を設置した場合に、グループを設定しなおすことができる。
【０１５３】
グループ情報記憶部５１に記憶される情報の初期設定や変更は、入出力端末５により行われる。そして、入出力端末５より入出力端末送受信部２８を経由して制御部１５にその情報が伝送され、その情報が示す変更内容に従って、情報変更部５３によりグループ情報記憶部５１が書き換えることにより、排気装置３Ａ〜３Ｅ及び給気装置４Ａ〜４Ｅのグループ化の初期設定又は変更を行うことができる。
【０１５４】
図１０に戻り、排気風量配分部１８のグループ排気風量配分部１８ａは、総排気風量読出部１６により読み出された総排気風量を各グループに配分する。具体的には、各グループに含まれる排気装置３の最大排気風量の合計に応じて、総排気風量を各グループに配分し、配分された排気風量をそのグループが排気すべき風量として設定する。グループ排気風量配分部１８ａの詳細については、図１３を参照して後述する。
【０１５５】
排気風量配分部１８の個別排気風量配分部１８ｂは、グループ排気風量配分部１８ａにより配分された各グループの排気風量を、各々のグループで、そのグループに含まれる排気装置３に配分する。具体的には、各々のグループで、そのグループに配分された排気風量を、そのグループに含まれる各排気装置３の最大排気風量に応じて配分し、配分された排気風量をその排気装置３の風量として設定する。個別排気風量配分部１８ｂの詳細については、図１４を参照して後述する。
【０１５６】
第２実施形態に係る総給気風量設定部２４は、グループ毎に、そのグループに含まれる排気装置３による実排気風量の合計をそのグループの総給気風量に設定する。
【０１５７】
また、第２実施形態に係る給気風量配分部２３は、グループ毎に、総給気風量設定部２４により設定された当該グループの総給気風量を、そのグループに含まれる各給気装置４の最大給気風量に応じて配分し、そのグループに含まれる各々の給気装置４の給気風量を設定する。
【０１５８】
次いで、図１２を参照して、第２実施形態に係る換気制御装置２のＣＰＵ３１にて実行される排気風量配分処理について説明する。図１２は、その排気風量配分処理を示すフローチャートである。この排気風量配分処理は、第１実施形態に係る排気風量配分処理と同様のタイミングで実行されるほか、グループ情報記憶部５１に記憶される情報が変更された場合にも実行される。
【０１５９】
第２実施形態に係る排気風量配分処理では、まず、第１実施形態に係る排気風量配分処理（図４）のＳ１１〜Ｓ１３と同様の処理を、Ｓ７１〜Ｓ７３にて実行する。そして、グループ配分排気風量算出設定処理を実行し（Ｓ７４）、更に、グループ内排気風量算出設定処理を実行する（Ｓ７５）。その後、第１実施形態に係る排気風量配分処理（図４）のＳ１５と同様の実排気風量積算処理を実行して（Ｓ７６）、処理排気風量配分処理を終了する。
【０１６０】
ここで、図１３を参照して、グループ配分排気風量算出設定処理（Ｓ７４）の詳細について説明する。図１３は、グループ配分排気風量算出設定処理（Ｓ７４）を示すフローチャートである。このグループ配分排気風量算出設定処理（Ｓ７４）は、一般住宅１に設定された総排気風量を、各グループに配分する処理である。
【０１６１】
ここでは、一般住宅１に設定された総排気風量が５００ＣＦＭであり、図９に示した２つのグループＧ１、Ｇ２に対して排気風量を配分する場合を例示しながら、グループ配分排気風量算出設定処理（Ｓ７４）について説明する。なお、グループＧ１には排気装置３Ａ〜３Ｃが含まれ、グループＧ２には排気装置３Ｄ、３Ｅが含まれるものとする。また、各排気装置３Ａ〜３Ｅは、いずれも１０ＣＦＭ刻みで排気風量を出力可能であり、各々の最大排気風量／最小排気風量は、排気装置３Ａが２００／５０、排気装置３Ｂが１５０／５０、排気装置３Ｃが８０／３０、排気装置３Ｄが１５０／５０、排気装置３Ｅが１００／３０であるとする。
【０１６２】
なお、第１実施形態と同様に、総排気風量読出部１６により読み出される総排気風量は、定時間以内に所定の建物内から排気すべき排気量の総量である。一方、グループ配分排気風量算出設定処理（Ｓ７４）及びグループ内排気風量算出設定処理（Ｓ７５）では、各排気装置３に対し、排気風量として１分当たりに排気すべき風量を設定する。よって、各排気装置３に配分する総排気風量として、グループ配分排気風量算出設定処理（Ｓ７４）では、総排気風量読出部１６により読み出された総排気風量から１分当たりに排気すべき総排気量に換算したものを使用する。
【０１６３】
グループ配分排気風量算出設定処理（Ｓ７４）では、まず、排気風量を設定するグループを選択し、設定するグループの順番を決定する（Ｓ８１）。具体的には、グループ情報記憶部５１に記憶されたグループを、排気風量を設定するグループとして選択し、各グループに含まれる排気装置３の最大排気風量の総和が大きい順に、設定するグループの順番を決定する。上記の例では、グループＧ１の最大排気風量の総和が４３０であり、グループＧ２の最大排気風量の総和が２５０であるので、グループＧ１、グループＧ２の順番に排気風量を設定する。
【０１６４】
最大排気風量の総和の大きい順に各グループの排気風量を配分していくことで、全てのグループに対して排気風量を配分した場合に、その排気風量の合計が総排気風量に満たなくなる可能性を少なくできる。ただし、グループ配分排気風量算出設定処理では、必ずしも最大排気風量の合計の大きい順に、各グループへ排気風量を配分する必要はなく、任意の順番で各グループに対し排気風量を配分してもよい。
【０１６５】
次いで、１組目のグループに対する排気風量の配分を行うか否か、つまり、まだ１組もグループに対する排気風量の配分を行っていないか否かを判断する（Ｓ８２）。そして、１組目のグループに対する排気風量の配分を行う（まだ１組もグループに対する排気風量の配分を行っていない）と判断される場合は（Ｓ８２：Ｙｅｓ）、次いで、１組目のグループ（上記の例ではグループＧ１）に対する排気風量を次の（７）式にて算出し、総排気風量の配分を行う（Ｓ８３）。
当該グループの排気風量
＝総排気風量×当該グループの最大排気風量の総和／全最大排気風量の総和…（７）
例えば、上記の例では、グループＧ１の排気風量を次のように算出する。
【０１６６】
グループＧ１の排気風量＝５００×４３０／６８０＝３１６．２ＣＦＭ
そして、Ｓ８３の処理により算出した排気風量以上であって、その排気風量に最も近い１組目のグループにて出力可能な排気風量を、その１組目のグループに配分する排気風量として設定する（Ｓ８４）。例えば、上記の例では、グループＧ１の排気風量を３２０ＣＦＭに設定する。
【０１６７】
ただし、Ｓ８４の処理では、Ｓ８３の処理にて算出した排気風量が、１組目のグループの最大排気風量の総和を超えている場合に、１組目のグループの排気風量をその最大排気風量の総和に設定する。また、Ｓ８４の処理では、Ｓ８３の処理にて算出した排気風量が、１組目のグループの最小排気風量の総和未満である場合に、組目のグループの排気風量をその最小排気風量に設定する。これにより、結果として、排気装置３に対して、その能力範囲を外れて排気風量が配分されることを防ぐことができる。
【０１６８】
なお、Ｓ８４の処理では、Ｓ８３の処理により算出した排気風量以上であって、その排気風量に最も近い１組目のグループの出力可能排気風量を、その１組目のグループに配分する排気風量として設定したが、必ずしもこれに限られるものではない。例えば、Ｓ８３の処理により算出した排気風量に最も近い１組目のグループの出力可能排気風量を、その１組目のグループに配分する排気風量として設定してもよい。また、Ｓ８３の処理により算出した排気風量以下であって、その排気風量に最も近い１組目のグループの出力可能排気風量を、その１組目のグループに配分する排気風量として設定してもよい。
【０１６９】
次いで、Ｓ８１の処理にて選択されたグループに対して排気風量の配分が終了したか否かを判断し（Ｓ８５）、終了していなければ（Ｓ８５：Ｎｏ）の処理に戻る。
【０１７０】
Ｓ８２の判断の結果、２組目以降のグループに対する排気風量の配分を行う（既に１組のグループに対する排気風量の配分を行っている）と判断される場合は（Ｓ２２：Ｎｏ）、Ｓ８６の処理へ移行する。Ｓ８６の処理では、総排気風量のうち、未配分の排気風量（残風量）を次の（８）式にて算出する。
【０１７１】
排気風量（残風量）＝前回排気風量（残風量）−直前配分風量…（８）
ここで、前回排気風量（残風量）は、前回の排気風量の配分時に未配分であった排気風量（残風量）の総計であり、直前配分風量は、直前に配分が行われたグループに対して配分された排気風量である。
【０１７２】
次いで、次に配分対象となるグループに対する排気風量を、（８）式で算出した排気風量（残風量）を用いて次の（９）式にて算出し、総排気風量の配分を行う。
当該グループの排気風量
＝排気風量（残風量）×当該グループの最大排気風量の総和
／未配分最大排気風量の総和  …（９）
ここで未配分最大排気風量の総和は、未配分のグループにおける最大排気風量の総和である。
【０１７３】
そして、Ｓ８７の処理にて算出した排気風量以上であって、その排気風量に最も近い配分対象のグループの出力可能排気風量を、その配分対象のグループに配分する排気風量として設定する（Ｓ８８）。このとき、Ｓ８４の処理と同様に、Ｓ８７の処理にて算出した排気風量が、配分対象のグループの最大排気風量の総和を超えているか、又は、最小排気風量の総和未満である場合に、配分対象のグループの排気風量を、最大排気風量の総和又は最小排気風量の総和に設定する。
【０１７４】
Ｓ８８の処理の後、Ｓ８５の処理へ移行する。そして、Ｓ８１の処理にて選択された全てのグループについて配分が終了するまで、Ｓ８２〜Ｓ８８の処理が繰り返し実行される。このＳ８２〜Ｓ８８の処理が、グループ排気風量配分部１８ａに該当する。
【０１７５】
ここで、Ｓ８６〜Ｓ８８の処理を上記の例で説明する。２組目のグループとしてグループＧ２の排気風量を配分する場合、先にＳ２６の処理にて排気風量（残風量）を算出する。１組目のグループＧ１の排気風量の配分時に未配分であった排気風量は総排気風量そのもの（５００ＣＦＭ）であり、１組目のグループＧ１には、排気風量として３２０ＣＦＭが配分されたので、排気風量（残風量）は以下の通りとなる。
【０１７６】
排気風量（残風量）＝５００−３２０＝１８０ＣＦＭ
そして、Ｓ８７の処理にて、２組目のグループＧ２の排気風量を以下の通りに算出する。
【０１７７】
グループＧ２の排気風量＝１８０×２５０／２５０＝１８０ＣＦＭ
そして、Ｓ８８の処理にて、２組目のグループＧ２の排気風量は、１８０ＣＦＭに設定される。
【０１７８】
なお、上述の式でわかる通り、配分対象として最後のグループの配分を行う場合、Ｓ８７の処理では、結局Ｓ８６の処理で算出した排気風量（残風量）がそのまま、その最後の配分対象となるグループの排気風量として算出されることとなる。よって、配分対象として最後のグループの配分を行う場合は、Ｓ８６の処理の後Ｓ８７の処理をスキップし、Ｓ８６の処理で算出した排気風量（残風量）を配分対象のグループにて算出される排気風量として、Ｓ８８の処理へ移行してもよい。
【０１７９】
Ｓ８５の判断の結果、Ｓ８１の処理にて選択された全てのグループについて配分が終了したと判断された場合（Ｓ８５：Ｙｅｓ）、次いで、排気風量が配分された全てのグループについて設定された排気風量の総和（以下「全グループ設定排気風量」という）が、総排気風量と異なるか否かを判断する（Ｓ８９）。
【０１８０】
一般住宅１に能力の低い排気装置３を設置した場合、排気風量を配分したグループを全て設定可能な最大排気風量に配分しても総排気風量に満たない場合があり得る。一方で、一般住宅１に能力の高い排気装置３を設置した場合、排気風量を配分したグループを全て設定可能な最小排気風量に配分しても総排気風量を超える場合もあり得る。Ｓ８９は、そのような事象が起きているか否かを判断する。
【０１８１】
そして、Ｓ８９の判断の結果、全グループ設定排気風量が総排気風量と異なると判断される場合は（Ｓ８９：Ｙｅｓ）、入出力端末５に対し、入出力端末送受信部２８を経由して、そのような状態であることを示す警告情報を送信し（Ｓ９０）、グループ配分排気風量算出設定処理を終了する。Ｓ９０の処理が、報知処理部２０に該当する。入出力端末５は、この警告情報に基づいて、警告音を発したり、警告画面を表示させたりすることで、ユーザに、グループの排気能力では所望の排気ができない又は所望以上の排気が行われる可能性がある旨を伝えることができる。
【０１８２】
ここで、警告情報は、全グループ設定排気風量が総排気風量未満であるのか否かを示す情報を含めるのが好ましい。その情報の内容に応じて入出力端末５による報知方法を変更することで、ユーザに、グループの排気能力では所望の排気ができない可能性があるのか、所望以上の排気が行われる可能性があるのかを明確に知らせることができる。
【０１８３】
また、全グループ設定排気風量が総排気風量未満である場合、Ｓ９０の処理では、各グループに対してそのグループに含まれる排気装置３の最大排気風量の総和を割り当てる。これにより、設置された排気装置３の排気能力が低くすぎる場合には、各々のグループを最大排気風量で運転させ、総排気風量での排気に可能な限り近づけることができる。また、全グループ設定排気風量が総排気風量より大きい場合、Ｓ９０の処理では、各グループに対してそのグループに含まれる排気装置３の最小排気風量の総和を割り当てる。これにより、設置された排気装置３の排気能力が高すぎる場合には、各々のグループにおいて最小排気風量で運転させ、総排気風量での排気に可能な限り近づけることができる。
【０１８４】
なお、Ｓ９０の処理において、警告情報を入出力端末５へ送信した場合に、各排気装置３の運転を停止するようにしてもよい。また、警告情報を入出力端末５へ送信した場合に各排気装置３の運転を行うか否かを、換気制御装置２の設置時やユーザの設定によって選択できるようにしてもよい。
【０１８５】
また、Ｓ８９の処理において、全グループ設定排気風量が総排気風量未満であるか否かだけを判断して、全グループ設定排気風量が総排気風量未満である場合に、警告情報を入出力端末５へ送信し、各グループに対してそのグループに含まれる排気装置３の最大排気風量の総和を割り当てるようにしてもよい。全グループ設定排気風量が総排気風量より大きい場合は、各排気装置３により実際に排気された排気風量（積算風量）が総排気量に達したときに各排気装置３の運転を停止すればよく、必ずしも警告の必要がないためである。
【０１８６】
Ｓ８９の処理の結果、全グループ設定排気風量が総排気風量と等しいと判断される場合は（Ｓ８９：Ｎｏ）、そのままグループ配分排気風量算出設定処理を終了する。なお、第１実施形態と同様に、グループの排気能力では所望の排気ができない又は所望以上の排気が行われる可能性がある旨の報知を無効とする設定情報が記憶部１１に記憶されるようにしてもよい。この無効とする設定情報が記憶されている場合は、Ｓ９０の処理において、入出力端末５に対して警告情報を送信せずに、全グループ設定排気風量と総排気風量との大小関係に応じて、各グループに対して、そのグループに含まれる排気装置３の最大排気風量の総和又は最小排気風量の総和を割り当てる。
【０１８７】
次いで、図１４を参照して、グループ内排気風量算出設定処理（Ｓ７５）について説明する。図１４は、そのグループ内排気風量算出設定処理（Ｓ７５）を示すフローチャートである。このグループ内排気風量算出設定処理（Ｓ７５）の各処理Ｓ１０１〜Ｓ１１０は、第１実施形態に係る排気風量算出設定処理（Ｓ１４）（図５参照）のＳ２１〜Ｓ３０と同一である。
【０１８８】
ただし、グループ内排気風量算出設定処理（Ｓ７５）では、グループ毎に実行され、グループ配分排気風量算出設定処理（Ｓ７４）にて割り当てられた当該グループの排気風量を、そのグループに含まれる各排気装置３に対し、それぞれの排気装置３の最大排気風量に応じて配分されることとなる。そして、グループ配分排気風量算出設定処理（Ｓ７５）は、全てのグループについて実行され、換気制御装置２に接続された全ての排気装置３に対して、排気風量が配分される。
【０１８９】
次いで、図１５を参照して、第２実施形態に係る換気制御装置２のＣＰＵ３１にて実行される給気風量配分処理の詳細について説明する。図１５は、その給気風量配分処理を示すフローチャートである。この給気風量配分処理は、第１実施形態に係る給気風量配分処理と同様のタイミングで実行される。
【０１９０】
第２実施形態に係る給気風量配分処理では、まず、第１実施形態に係る給気風量配分処理（図７）のＳ４１と同様の処理をＳ１２１にて実行する。そして、各グループの必要総給気風量として、当該グループ内に含まれる排気装置３の実排気風量の総和を設定する（Ｓ１２２）。つまり、グループ毎に、そのグループに含まれる排気装置３の実排気風量の総和をそのグループの必要総給気風量として、そのグループに含まれる給気装置４の給気風量が配分されることとなる。これにより、各グループの中で、排気と給気のバランスよく制御でき、各階層や閉鎖空間に応じて設定したグループの中で、給気空間から排気空間への風路設計を容易にすることができる。
【０１９１】
次いで、第１実施形態に係る給気風量配分処理（図７）のＳ４３、Ｓ４４と同様の処理をＳ１２３、Ｓ１２４にて実行する。そして、グループ内給気風量算出設定処理を実行し（Ｓ１２５）、給気風量配分処理を終了する。
【０１９２】
ここで、図１６を参照して、グループ内給気風量算出設定処理（Ｓ１２５）について説明する。図１６は、そのグループ内給気風量算出設定処理（Ｓ１２５）を示すフローチャートである。このグループ内給気風量算出設定処理（Ｓ１２５）の各処理Ｓ１３１〜Ｓ１４０は、第１実施形態に係る給気風量算出設定処理（Ｓ４５）（図８参照）のＳ５１〜Ｓ６０と同一である。
【０１９３】
ただし、グループ内給気風量算出設定処理（Ｓ１２５）では、グループ毎に実行され、給気風量配分処理（図１５）のＳ１２２の処理にて設定された当該グループの総給気風量を、そのグループに含まれる各給気装置４に対し、それぞれの給気装置４の最大給気風量に応じて配分されることとなる。そして、グループ給気風量算出設定処理（Ｓ１２５）は、全てのグループについて実行され、換気制御装置２に接続された全ての給気装置４に対して、給気風量が配分される。
【０１９４】
以上、第２実施形態に係る換気制御装置２では、一般住宅１に設置された複数の排気装置３及び給気装置４を複数のグループに分割し、まず、一般住宅１に設定された総排気風量を、各グループに配分する。そして、各グループの中で、そのグループに含まれる排気装置３に対して配分された排気風量を更に配分する。また、第２実施形態に係る換気制御装置２は、グループ毎に、そのグループに含まれる排気装置３による実排気風量の総和をそのグループの総給気風量に設定し、そのグループに含まれる給気装置４に対して、そのグループに設定された総給気風量を配分する。
【０１９５】
これにより、複数の階層や閉鎖空間を持つ建物である場合に、各階層や空間毎に排気装置３と給気装置４の組み合わせをグループ化して制御することができ、そのグループ内で排気と給気とをバランスよく制御できる。よって、各階層や閉鎖空間内での給気空間から排気空間への風路設計を容易とすることができる。
【０１９６】
また、情報変更部５３により、排気装置３Ａ〜３Ｅ及び給気装置４Ａ〜４Ｅを分割するグループを変更できるので、建物内の階層や閉鎖空間の状態に合わせて、風路設計を容易に変更できる。
【０１９７】
その他、第２実施形態に係る換気制御装置２は、第１実施形態に係る換気制御装置２と同様の構成によって、同一の効果を奏する。
【０１９８】
（第３実施形態）
次いで、図１７、図１８を参照して、第３実施形態に係る換気制御装置２及び換気システム４０について説明する。第１及び第２実施形態に係る換気制御装置２では、一般住宅１に設定された総排気風量を設置された複数の排気装置３に対して配分し、また、各排気装置３の実総排気風量の総和を給気装置４に対して配分する総給気風量に設定して、設置された複数の給気装置４に対して配分する場合について説明した。これに対し、第３実施形態では、排気装置３に対する総排気風量の配分の有無にかかわらず、給気装置４に対して配分する総給気風量をユーザから設定されるものとし、その設定された総給気風量を給気装置４に対して配分する。
【０１９９】
以下、第３実施形態に係る換気制御装置２及び換気システム４０について、第１及び第２実施形態に係る換気制御装置２及び換気システム４０と相違する点を中心に説明する。第１及び第２実施形態に係る換気制御装置２及び換気システム４０と同一の構成については、同一の符号を付し、その説明を省略する。
【０２００】
図１７は、本第３実施形態に係る換気制御装置２のＣＰＵ３１にて実行される給気風量配分処理を示すフローチャートである。
【０２０１】
この給気風量配分処理では、まず、一般住宅１に設定された必要な総給気風量を読み出す（Ｓ１５１）。総給気風量は、入出力端末５からユーザによって予め設定されており、入出力端末送受信部２８を経由して記憶部１１に記憶されている。Ｓ１５１の処理では、この記憶部１１に記憶された総給気風量を読み出す。このＳ１５１の処理が、本発明の総給気風量読出部に該当する。
【０２０２】
次いで、第１実施形態の４３及びＳ４４と同様の処理を、Ｓ１５２及びＳ１５３にて実行する。そして、グループ配分給気風量算出設定処理を実行する（Ｓ１５４）。
【０２０３】
ここで、図１８を参照して、グループ配分排気風量算出設定処理（Ｓ１５４）の詳細について説明する。図１８は、グループ配分排気風量算出設定処理（Ｓ１５４）を示すフローチャートである。このグループ配分排気風量算出設定処理（Ｓ１５４）は、一般住宅１に設定された総給気風量を、グループ化部５２にて設定される各グループに配分する処理である。
【０２０４】
このグループ配分排気風量算出設定処理は、図１３に示す第２実施形態に係るグループ配分排気風量算出設定処理に対し、排気を全て給気に置き換えたものである。つまり、第２実施形態において総排気風量の各グループへの配分と同様の方法で、第３実施形態では、ユーザより設定された総給気風量の各グループへの配分を行う。
【０２０５】
図１７に戻り説明を続ける。Ｓ１５４の処理の後、グループ内給気風量算出設定処理を実行する（Ｓ１５５）。このグループ内給気風量算出設定処理（Ｓ１５５）は、第２実施形態のグループ内給気風量算出設定処理（Ｓ７４）（図１３）と同一の処理である。そして、グループ内給気風量算出設定処理（Ｓ１５５）の後、給気風量配分処理を終了する。
【０２０６】
以上、第３実施形態に係る換気制御装置２及び換気システム４０では、一般住宅１に対して設定される総給気風量を各給気装置４の最大給気風量に応じて配分されて、各々の給気装置４の給気風量が設定される。これにより、各給気装置４の能力に応じて、バランスよく給気風量が設定される。よって、換気システム４０の省エネルギー運転を可能にできる。
【０２０７】
特に、第３実施形態に係る換気制御装置２及び換気システム４０では、一般住宅１に設置された複数の給気装置４を複数のグループに分割し、ユーザより設定された総給気風量を、各グループに配分する。そして、各グループの中で、そのグループに含まれる給気装置４に対して配分された給気風量を更に配分する。これにより、複数の階層や閉鎖空間を持つ建物である場合に、各階層や空間毎に排気装置３と給気装置４の組み合わせをグループ化して制御することができ、各階層や閉鎖空間内での給気空間から排気空間への風路設計を容易とすることができる。
【０２０８】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【０２０９】
上記第１及び第２実施形態において、複数の排気装置３と複数の給気装置４に対して、それぞれ排気風量又は給気風量の配分を行う場合について説明したが、排気装置３のみ排気風量の配分を行ってもよい。これにより、各排気装置３の能力に応じて、バランスよく排気風量が設定されるので、換気システム４０の省エネルギー運転を可能にできる。
【０２１０】
また、上記第３実施形態において、一般住宅１に設置された複数の給気装置４を複数のグループに分割し、ユーザより設定された総給気風量を各グループに配分した上で、各グループの中で、そのグループに含まれる給気装置４に対して配分された給気風量を更に配分する場合について説明した。これに対し、上記第１実施形態と同様に、一般住宅１に設置された複数の給気装置４をグループに分割することなく、各給気装置４の最大給気風量に応じて、ユーザにより設定された総給気風量を配分してもよい。これによっても、各給気装置４の能力に応じて、バランスよく給気風量が設定されるので、換気システム４０の省エネルギー運転を可能にできる。
【産業上の利用可能性】
【０２１１】
本発明に係る換気制御装置及び換気システムは、省エネルギー運転を可能にできるため、戸建て住宅やマンション等の複合住宅に適用可能である。
【符号の説明】
【０２１２】
１    一般住宅
２    換気制御装置
３    排気装置
３ａ    ＩＤ記憶部
３ｂ    仕様記憶部
３ｃ    設定風量記憶部
３ｄ    実風量記憶部
３Ａ    排気装置
３Ｂ    排気装置
３Ｃ    排気装置
３Ｄ    排気装置
３Ｅ    排気装置
４    給気装置
４ａ    ＩＤ記憶部
４ｂ    仕様記憶部
４ｃ    設定風量記憶部
４ｄ    実風量記憶部
４Ａ    給気装置
４Ｂ    給気装置
４Ｃ    給気装置
４Ｄ    給気装置
４Ｅ    給気装置
５    入出力端末
６Ａ    風路
６Ｂ    風路
６Ｃ    風路
６Ｄ    風路
６Ｅ    風路
６Ｆ    風路
１１    記憶部
１２    総排気風量記憶部
１３    排気装置仕様記憶部
１４    給気装置仕様記憶部
１５    制御部
１６    総排気風量読出部
１７    排気装置仕様読出部
１８    排気風量配分部
１８ａ    グループ排気風量配分部
１８ｂ    個別排気風量配分部
１９    排気風量指示部
２０    報知処理部
２１    能力調整部
２２    給気装置仕様読出部
２３    給気風量配分部
２４    総給気風量設定部
２５    実排気風量取得部
２６    給気風量指示部
２７    通信部
２８    入出力端末送受信部
２９    排気・給気装置送受信部
３１    ＣＰＵ
３２    ＲＡＭ
３３    ＲＯＭ
３４    データフラッシュメモリ
３５    無線通信モジュール
３６    内部バス
４０    換気システム
５１    グループ情報記憶部
５２    グループ化部
５３    情報変更部
【図１】
2019168187.tif 000003
【図２】
2019168187.tif 000004
【図３】
2019168187.tif 000005
【図４】
2019168187.tif 000006
【図５】
2019168187.tif 000007
【図６】
2019168187.tif 000008
【図７】
2019168187.tif 000009
【図８】
2019168187.tif 000010
【図９】
2019168187.tif 000011
【図１０】
2019168187.tif 000012
【図１１】
2019168187.tif 000013
【図１２】
2019168187.tif 000014
【図１３】
2019168187.tif 000015
【図１４】
2019168187.tif 000016
【図１５】
2019168187.tif 000017
【図１６】
2019168187.tif 000018
【図１７】
2019168187.tif 000019
【図１８】
2019168187.tif 000020